(57)【要約】      （修正有）【課題】狭帯域ユーザ機器（ＵＥ）のための直流（ＤＣ）サブキャリア処理方法、システム及びデバイスを提供する。【解決手段】ＵＥは、広帯域幅キャリア３０２内での動作のために割り振られた狭帯域幅領域３１０を識別し、狭帯域幅領域が広帯域幅キャリアの中心サブキャリアとは異なる周波数に中心があると決定し、動作モードを選択する。様々な動作モードは、割り振られた狭帯域幅領域のキャリア周波数をダウンコンバートすることを含む。基地局は、狭帯域幅領域が広帯域幅キャリアの中心サブキャリアとは異なる周波数に中心があると決定することと、狭帯域幅領域の中心周波数のトーンの周りの狭帯域幅領域のサブキャリアをレートマッチングすることとによって、狭帯域ＵＥ動作をサポートする。【選択図】図１６
2020115650.tif 000002
【特許請求の範囲】
【請求項１】
ユーザ機器（ＵＥ）におけるワイヤレス通信の方法であって、
広帯域幅キャリア内での動作のために割り振られた狭帯域幅領域を識別することと、
前記狭帯域幅領域が前記広帯域幅キャリアの中心サブキャリアとは異なる周波数に中心があると決定することと、
前記決定することに少なくとも部分的に基づいて、前記狭帯域幅領域の中心周波数に関連する動作モードを選択することと
を備える、方法。
【請求項２】
前記動作モードを選択することが、
予想される直流（ＤＣ）サブキャリアロケーションに対応するリソース要素（ＲＥ）のセットをパンクチャすること
を備える、請求項１に記載の方法。
【請求項３】
前記狭帯域幅領域が前記広帯域幅キャリアの前記中心サブキャリアを備えると決定することと、
前記狭帯域幅領域のサブキャリア上でダウンリンク送信を受信することと、
前記狭帯域幅領域が前記広帯域幅キャリアの前記中心サブキャリアを備えるという前記決定に少なくとも部分的に基づいて、前記ダウンリンク送信を分析することと
をさらに備える、請求項１に記載の方法。
【請求項４】
前記ダウンリンク送信を分析することは、
前記広帯域幅キャリアの前記中心サブキャリアが、事実上前記狭帯域幅領域内の中心にあるように、前記狭帯域幅領域のキャリア周波数をダウンコンバートすること
を備える、請求項３に記載の方法。
【請求項５】
前記広帯域幅キャリアの前記中心サブキャリアのロケーションに少なくとも部分的に基づいて高速フーリエ変換（ＦＦＴ）演算を調整すること
をさらに備える、請求項４に記載の方法。
【請求項６】
前記広帯域幅キャリアの中心帯域幅領域上でシステム情報を受信することと、
基地局から前記狭帯域幅領域の指示を受信することと、ここにおいて、前記狭帯域幅領域を識別することが、前記受信された指示に少なくとも部分的に基づく、
をさらに備え、
ここにおいて、前記狭帯域幅領域が前記広帯域幅キャリアの前記中心サブキャリアとは前記異なる周波数に中心があると決定することが、前記システム情報と、前記狭帯域幅領域を識別することとに少なくとも部分的に基づく、
請求項３に記載の方法。
【請求項７】
前記狭帯域幅領域が前記広帯域幅キャリアの前記中心サブキャリアを除外すると決定することと、
前記狭帯域幅領域のサブキャリア上でダウンリンク送信を受信することと、
前記狭帯域幅領域が前記広帯域幅キャリアの前記中心サブキャリアを除外するという前記決定に少なくとも部分的に基づいて、前記ダウンリンク送信を分析することと
をさらに備える、請求項１に記載の方法。
【請求項８】
前記ダウンリンク送信を分析することは、
前記広帯域幅キャリアの前記中心サブキャリアが前記狭帯域幅領域に隣接するように、前記狭帯域幅領域をダウンコンバートすることを備え、ここにおいて、前記ダウンコンバートすることが、前記広帯域幅キャリアの周波数と、前記狭帯域幅領域の帯域幅と、構成可能な値とに少なくとも部分的に基づく、
請求項７に記載の方法。
【請求項９】
前記広帯域幅キャリアの前記中心サブキャリアのロケーションに少なくとも部分的に基づいてＦＦＴ演算を調整すること
をさらに備える、請求項８に記載の方法。
【請求項１０】
前記広帯域幅キャリアの中心帯域幅領域上でシステム情報を受信することと、
基地局から前記狭帯域幅領域の指示を受信することと、ここにおいて、前記狭帯域幅領域を識別することが、前記受信された指示に少なくとも部分的に基づく、
をさらに備え、
ここにおいて、前記狭帯域幅領域が前記広帯域幅キャリアの前記中心サブキャリアとは前記異なる周波数に中心があると決定することが、前記システム情報と、前記狭帯域幅領域を識別することとに少なくとも部分的に基づく、
請求項７に記載の方法。
【請求項１１】
基地局におけるワイヤレス通信の方法であって、
広帯域幅キャリア内での動作のために割り振られた狭帯域幅領域を識別することと、
前記狭帯域幅領域が前記広帯域幅キャリアの中心サブキャリアとは異なる周波数に中心があると決定することと、
前記狭帯域幅領域の中心周波数のトーンの周りの前記狭帯域幅領域のサブキャリアをレートマッチングすることによって、前記狭帯域幅領域中でユーザ機器（ＵＥ）と通信することと
を備える、方法。
【請求項１２】
前記ＵＥと通信することが、
前記狭帯域幅領域の前記中心周波数において空のサブキャリアを送信すること
を備える、請求項１１に記載の方法。
【請求項１３】
前記広帯域幅キャリアの中心帯域幅領域上でシステム情報を送信すること
をさらに備える、請求項１１に記載の方法。
【請求項１４】
前記ＵＥに前記狭帯域幅領域の指示を送信すること
をさらに備える、請求項１１に記載の方法。
【請求項１５】
前記狭帯域幅領域中で前記ＵＥと通信することが、
前記狭帯域幅領域のサブキャリア上でダウンリンクデータを送信すること
を備える、請求項１１に記載の方法。
【請求項１６】
ユーザ機器（ＵＥ）におけるワイヤレス通信のための装置であって、
広帯域幅キャリア内での動作のために割り振られた狭帯域幅領域を識別するための手段と、
前記狭帯域幅領域が前記広帯域幅キャリアの中心サブキャリアとは異なる周波数に中心があると決定するための手段と、
前記決定することに少なくとも部分的に基づいて、前記狭帯域幅領域の中心周波数に関連する動作モードを選択するための手段と
を備える、装置。
【請求項１７】
前記動作モードを選択するための前記手段が、
予想される直流（ＤＣ）サブキャリアロケーションに対応するリソース要素（ＲＥ）のセットをパンクチャするための手段
を備える、請求項１６に記載の装置。
【請求項１８】
前記狭帯域幅領域が前記広帯域幅キャリアの前記中心サブキャリアを備えると決定するための手段と、
前記狭帯域幅領域のサブキャリア上でダウンリンク送信を受信するための手段と、
前記狭帯域幅領域が前記広帯域幅キャリアの前記中心サブキャリアを備えるという決定に少なくとも部分的に基づいて、前記ダウンリンク送信を分析するための手段と
をさらに備える、請求項１６に記載の装置。
【請求項１９】
前記ダウンリンク送信を分析するための前記手段は、
前記広帯域幅キャリアの前記中心サブキャリアが、事実上前記狭帯域幅領域内の中心にあるように、前記狭帯域幅領域のキャリア周波数をダウンコンバートするための手段
を備える、請求項１８に記載の装置。
【請求項２０】
前記広帯域幅キャリアの前記中心サブキャリアのロケーションに少なくとも部分的に基づいて高速フーリエ変換（ＦＦＴ）演算を調整するための手段
をさらに備える、請求項１９に記載の装置。
【請求項２１】
前記広帯域幅キャリアの中心帯域幅領域上でシステム情報を受信するための手段と、
基地局から前記狭帯域幅領域の指示を受信するための手段と、ここにおいて、前記狭帯域幅領域を識別するための前記手段が、受信された指示に少なくとも部分的に基づいて動作可能である、
をさらに備え、
前記狭帯域幅領域が前記広帯域幅キャリアの前記中心サブキャリアとは前記異なる周波数に中心があると決定するための手段が、受信されたシステム情報と、識別された狭帯域幅領域とに少なくとも部分的に基づく、
請求項１８に記載の装置。
【請求項２２】
前記狭帯域幅領域が前記広帯域幅キャリアの前記中心サブキャリアを除外すると決定するための手段と、
前記狭帯域幅領域のサブキャリア上でダウンリンク送信を受信するための手段と、
前記狭帯域幅領域が前記広帯域幅キャリアの前記中心サブキャリアを除外するという決定に少なくとも部分的に基づいて、前記ダウンリンク送信を分析するための手段と
をさらに備える、請求項１６に記載の装置。
【請求項２３】
前記ダウンリンク送信を分析するための前記手段は、
前記広帯域幅キャリアの周波数と、前記狭帯域幅領域の帯域幅と、構成可能な値とに少なくとも部分的に基づいて、前記広帯域幅キャリアの前記中心サブキャリアが前記狭帯域幅領域に隣接するように、前記狭帯域幅領域をダウンコンバートするための手段
を備える、請求項２２に記載の装置。
【請求項２４】
前記広帯域幅キャリアの前記中心サブキャリアのロケーションに少なくとも部分的に基づいてＦＦＴ演算を調整するための手段
をさらに備える、請求項２３に記載の装置。
【請求項２５】
前記広帯域幅キャリアの中心帯域幅領域上でシステム情報を受信するための手段と、
基地局から前記狭帯域幅領域の指示を受信するための手段と、ここにおいて、前記狭帯域幅領域を識別するための前記手段が、受信された指示に少なくとも部分的に基づいて動作可能である、
をさらに備え、
前記狭帯域幅領域が前記広帯域幅キャリアの前記中心サブキャリアとは前記異なる周波数に中心があると決定するための手段が、受信されたシステム情報と、識別された狭帯域幅領域とに少なくとも部分的に基づく、
請求項２２に記載の装置。
【請求項２６】
基地局におけるワイヤレス通信のための装置であって、
広帯域幅キャリア内での動作のために割り振られた狭帯域幅領域を識別するための手段と、
前記狭帯域幅領域が前記広帯域幅キャリアの中心サブキャリアとは異なる周波数に中心があると決定するための手段と、
前記狭帯域幅領域の中心周波数のトーンの周りの前記狭帯域幅領域のサブキャリアをレートマッチングすることによって、前記狭帯域幅領域中でユーザ機器（ＵＥ）と通信するための手段と
を備える、装置。
【請求項２７】
前記狭帯域幅領域の前記中心周波数において空のサブキャリアを送信するための手段をさらに備える、請求項２６に記載の装置。
【請求項２８】
前記広帯域幅キャリアの中心帯域幅領域上でシステム情報を送信するための手段
をさらに備える、請求項２６に記載の装置。
【請求項２９】
前記ＵＥに前記狭帯域幅領域の指示を送信するための手段
をさらに備える、請求項２６に記載の装置。
【請求項３０】
前記狭帯域幅領域中で前記ＵＥと通信するための前記手段が、
前記狭帯域幅領域のサブキャリア上でダウンリンクデータを送信すること
を備える、請求項２６に記載の装置。
【発明の詳細な説明】
【技術分野】
【０００１】
相互参照
[0001]  本特許出願は、各々が本出願の譲受人に譲渡された、２０１５年１０月７日に出願された、「DC Subcarrier Handling in Narrowband Devices」と題する、Ｓａｋｈｎｉｎｉらによる米国特許出願第１４／８７７，７４１号、および２０１４年１０月８日に出願された、「DC Subcarrier Handling in Narrowband Devices」と題する、Ｓａｋｈｎｉｎｉらによる米国仮特許出願第６２／０６１，６５５号の優先権を主張する。
【０００２】
開示の分野
[0002]  以下は、一般にワイヤレス通信に関し、より詳細には、狭帯域デバイス（narrowband device）における直流（ＤＣ：direct current）サブキャリア処理（subcarrier handling）に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標）：Long Term Evolution）システム）がある。
【０００４】
[0004]  例として、ワイヤレス多元接続通信システムは、場合によってはユーザ機器（ＵＥ：user equipment）として知られ得る、複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、通信デバイスと通信し得る。
【０００５】
[0005]  ＬＴＥシステムでは、考えられる局部発振器漏れ（local oscillator leakage）によって生じる、キャリア周波数（carrier frequency）に対する考えられるひずみ（distortion）または干渉（interference）を回避するために、構成された帯域幅（bandwidth）内の中心サブキャリア（center subcarrier）は特別に処理され得る。この中心サブキャリアはＤＣサブキャリアと呼ばれることがある。ＵＥは、帯域幅の中心周波数（center frequency）の位置を特定するためにダウンリンク上でＤＣサブキャリアを使用し得る。概して、ダウンリンク上では、ＤＣサブキャリアは、空のまたはヌルサブキャリア（empty or null subcarrier）を表す。ＵＥは、これを予期し得、それに応じて高速フーリエ変換（ＦＦＴ：Fast Fourier Transform）を構成し得る。アップリンクでは、空のまたは未使用のＤＣサブキャリアが、アップリンク送信のピーク対平均電力比（ＰＡＰＲ：peak to average power ration）を増加させ得、したがって、ヌルサブキャリアの代わりに、アップリンクキャリア周波数の中心サブキャリアが、他のサブキャリア（subcarrier）のように変調され得る。ただし、ひずみを最小限に抑えるために、アップリンク上のサブキャリアは、１／２サブキャリア間隔（たとえば、７．５ｋＨｚ）だけ周波数がシフトされ得る。これは、いずれか１つのサブキャリアのための干渉を減少させ得る。しかしながら、広帯域幅キャリア周波数内で狭帯域幅デバイスを使用するシステムでは、狭帯域幅デバイス（narrow bandwidth device）が動作している周波数領域に対して中心がないＤＣサブキャリアを考慮するためにいくつかのＵＥまたは基地局動作を使用し得る。
【発明の概要】
【０００６】
[0006]  狭帯域デバイスにおけるＤＣサブキャリア処理のためのシステム、方法、および装置について説明する。ＵＥは、広帯域幅キャリア（wide bandwidth carrier）内での動作（operation）のために割り振られた（allocated）狭帯域幅領域（narrow bandwidth region）を識別（identify）し得る。ＵＥは、狭帯域幅領域が広帯域幅キャリアの中心サブキャリアとは異なる周波数に中心があり得ると決定し得る。ＵＥは、決定することに基づいて、狭帯域幅領域の中心周波数に関連する動作モード（operating mode）を選択し得る。
【０００７】
[0007]  追加または代替として、基地局は、広帯域幅キャリア内での動作のために割り振られた狭帯域幅領域を識別し得る。基地局は、狭帯域幅領域が広帯域幅キャリアの中心サブキャリアとは異なる周波数に中心があり得ると決定し得る。基地局は、狭帯域幅領域の中心周波数において空のサブキャリア（empty subcarrier）を送信し得、基地局は、空のサブキャリアのトーン（tone）の周りの狭帯域幅領域のサブキャリアをレートマッチング（rate matching）し得る。
【０００８】
[0008]  基地局はまた、狭帯域幅デバイス（narrow bandwidth device）（たとえば、狭帯域ＵＥ）によるアップリンク送信を補償し得る。たとえば、第１の基地局が広帯域ＵＥと通信していることがある。第１の基地局は、狭帯域ＵＥが第２の基地局と通信していることがあり、狭帯域ＵＥが広帯域幅キャリア内の狭帯域幅領域を利用していることがあり、したがって、狭帯域幅領域が、広帯域幅キャリアの中心サブキャリアとは異なる周波数に中心があり得ると決定し得る。第１の基地局は、狭帯域ＵＥが第２の基地局と通信していることがあると決定することに基づいて、広帯域ＵＥとの通信を調整（adjust）し得る。
【０００９】
[0009]  ＵＥにおけるワイヤレス通信（wireless communication）の方法について説明する。本方法は、広帯域幅キャリア内での動作のために割り振られた狭帯域幅領域を識別することと、狭帯域幅領域が広帯域幅キャリアの中心サブキャリアとは異なる周波数に中心があると決定することと、決定することに少なくとも部分的に基づいて、狭帯域幅領域の中心周波数に関連する動作モードを選択することとを含み得る。
【００１０】
[0010]  ＵＥにおけるワイヤレス通信のための装置について説明する。本装置は、広帯域幅キャリア内での動作のために割り振られた狭帯域幅領域を識別するための手段と、狭帯域幅領域が広帯域幅キャリアの中心サブキャリアとは異なる周波数に中心があると決定するための手段と、決定することに少なくとも部分的に基づいて、狭帯域幅領域の中心周波数に関連する動作モードを選択するための手段とを含み得る。
【００１１】
[0011]  ＵＥにおけるワイヤレス通信のためのさらなる装置について説明する。本装置は、プロセッサと、プロセッサと電子通信しているメモリと、メモリに記憶された命令とを含み得、ここにおいて、命令は、広帯域幅キャリア内での動作のために割り振られた狭帯域幅領域を識別することと、狭帯域幅領域が広帯域幅キャリアの中心サブキャリアとは異なる周波数に中心があると決定することと、決定することに少なくとも部分的に基づいて、狭帯域幅領域の中心周波数に関連する動作モードを選択することとを行うためにプロセッサによって実行可能である。
【００１２】
[0012]  ＵＥにおけるワイヤレス通信のためのコードを記憶する非一時的コンピュータ可読媒体について説明する。コードは、広帯域幅キャリア内での動作のために割り振られた狭帯域幅領域を識別することと、狭帯域幅領域が広帯域幅キャリアの中心サブキャリアとは異なる周波数に中心があると決定することと、決定することに少なくとも部分的に基づいて、狭帯域幅領域の中心周波数に関連する動作モードを選択することとを行うために実行可能な命令を含み得る。
【００１３】
[0013]  上記で説明した方法、装置、または非一時的コンピュータ可読媒体のいくつかの例では、動作モードを選択することは、予想される直流（ＤＣ）サブキャリアロケーション（expected direct current (DC) subcarrier location）に対応するＲＥのセットをパンクチャ（puncture）することを備える。追加または代替として、いくつかの例は、狭帯域幅領域が広帯域幅キャリアの中心サブキャリアを備えると決定することと、狭帯域幅領域のサブキャリア上でダウンリンク送信（downlink transmission）を受信することと、狭帯域幅領域が広帯域幅キャリアの中心サブキャリアを備えるという決定に少なくとも部分的に基づいて、受信されたダウンリンク送信を分析（analyze）することとを含み得る。
【００１４】
[0014]  上記で説明した方法、装置、または非一時的コンピュータ可読媒体のいくつかの例では、受信されたダウンリンク送信を分析することは、広帯域幅キャリアの中心サブキャリアが、事実上（effectively）狭帯域幅領域内の中心にあるように、割り振られた狭帯域幅領域のキャリア周波数をダウンコンバート（down-convert）することを備える。いくつかの例は、さらに広帯域幅キャリアの中心サブキャリアのロケーション（location）に基づいて高速フーリエ変換（ＦＦＴ）動作を調整することをも含み得る。追加または代替として、いくつかの例は、広帯域幅キャリアの中心帯域幅領域（center bandwidth region）上でシステム情報（system information）を受信することと、基地局から狭帯域幅領域の指示（indication）を受信することと、ここにおいて、狭帯域幅領域を識別することが受信された指示に基づき、狭帯域幅領域が広帯域幅キャリアの中心サブキャリアとは異なる周波数に中心があると決定することが受信されたシステム情報と狭帯域幅領域を識別することとに基づいている、を含み得る。
【００１５】
[0015]  上記で説明した方法、装置、または非一時的コンピュータ可読媒体のいくつかの例は、狭帯域幅領域が広帯域幅キャリアの中心サブキャリアを除外（exclude）すると決定することと、狭帯域幅領域のサブキャリア上でダウンリンク送信を受信することと、狭帯域幅領域が広帯域幅キャリアの中心サブキャリアを除外するという決定に少なくとも部分的に基づいて、受信されたダウンリンク送信を分析することとをさらに含み得る。追加または代替として、いくつかの例では、受信されたダウンリンク送信を分析することは、広帯域幅キャリアの中心サブキャリアが狭帯域幅領域に隣接（adjacent）するように、割り振られた狭帯域領域をダウンコンバートすることを備え、ここにおいて、ダウンコンバートすることは、キャリア周波数と、狭帯域幅領域の帯域幅と、構成可能な値（configurable value）とに基づく。いくつかの例は、広帯域幅キャリアの中心サブキャリアのロケーションに基づいてＦＦＴ演算（operation）を調整することをも含み得る。
【００１６】
[0016]  上記で説明した方法、装置、または非一時的コンピュータ可読媒体のいくつかの例は、広帯域幅キャリアの中心帯域幅領域上でシステム情報を受信することと、基地局から狭帯域幅領域の指示を受信することと、ここにおいて、狭帯域幅領域を識別することが、受信された指示に基づく、をさらに含み得、狭帯域幅領域が広帯域幅キャリアの中心サブキャリアとは異なる周波数に中心があると決定することは、受信されたシステム情報と、狭帯域幅領域を識別することとに基づく。
【００１７】
[0017]  基地局におけるワイヤレス通信の方法について説明する。本方法は、広帯域幅キャリア内での動作のために割り振られた狭帯域幅領域を識別することと、狭帯域幅領域が広帯域幅キャリアの中心サブキャリアとは異なる周波数に中心があると決定することと、狭帯域幅領域の中心周波数のトーンの周りの狭帯域幅領域のサブキャリアをレートマッチングすることによって、ユーザ機器（ＵＥ）と通信することとを含み得る。
【００１８】
[0018]  基地局におけるワイヤレス通信のための装置について説明する。本装置は、広帯域幅キャリア内での動作のために割り振られた狭帯域幅領域を識別するための手段と、狭帯域幅領域が広帯域幅キャリアの中心サブキャリアとは異なる周波数に中心があると決定するための手段と、狭帯域幅領域の中心周波数のトーンの周りの狭帯域幅領域のサブキャリアをレートマッチングすることによって、ユーザ機器（ＵＥ）と通信するための手段とを含み得る。
【００１９】
[0019]  基地局におけるワイヤレス通信のためのさらなる装置について説明する。本装置は、プロセッサと、プロセッサと電子通信しているメモリと、メモリに記憶された命令とを含み得、ここにおいて、命令は、広帯域幅キャリア内での動作のために割り振られた狭帯域幅領域を識別することと、狭帯域幅領域が広帯域幅キャリアの中心サブキャリアとは異なる周波数に中心があると決定することと、狭帯域幅領域の中心周波数のトーンの周りの狭帯域幅領域のサブキャリアをレートマッチングすることによって、ユーザ機器（ＵＥ）と通信することとを行うためにプロセッサによって実行可能である。
【００２０】
[0020]  基地局におけるワイヤレス通信のためのコードを記憶する非一時的コンピュータ可読媒体について説明する。コードは、広帯域幅キャリア内での動作のために割り振られた狭帯域幅領域を識別することと、狭帯域幅領域が広帯域幅キャリアの中心サブキャリアとは異なる周波数に中心があると決定することと、狭帯域幅領域の中心周波数のトーンの周りの狭帯域幅領域のサブキャリアをレートマッチングすることによって、ユーザ機器（ＵＥ）と通信することとを行うために実行可能な命令を含み得る。
【００２１】
[0021]  上記で説明した方法、装置、または非一時的コンピュータ可読媒体のいくつかの例は、狭帯域幅領域の中心周波数において空のサブキャリアを送信することをさらに含み得る。追加または代替として、いくつかの例は、狭帯域幅領域の中心周波数において空のサブキャリアを送信すること、または広帯域幅の中心帯域幅領域上でシステム情報を送信すること、あるいはその両方を含み得る。いくつかの例は、ＵＥに狭帯域幅領域の指示を送信することを含む。追加または代替として、いくつかの例は、狭帯域幅領域のサブキャリア上でダウンリンクデータ（downlink data）を送信することを含み得る。
【００２２】
[0022]  基地局におけるワイヤレス通信の方法について説明する。本方法は、第１の基地局と通信している広帯域ＵＥを識別することと、狭帯域ＵＥが広帯域幅キャリア内の狭帯域幅領域を利用することにおいて狭帯域ＵＥが第２の基地局と通信していると決定することと、ここにおいて、狭帯域幅領域が広帯域幅キャリアの中心サブキャリアとは異なる周波数に中心があり、狭帯域ＵＥが第２の基地局と通信していると決定することに少なくとも部分的に基づいて、広帯域ＵＥとの通信を調整することとを含み得る。
【００２３】
[0023]  基地局におけるワイヤレス通信のための装置について説明する。本装置は、第１の基地局と通信している広帯域ＵＥを識別するための手段と、狭帯域ＵＥが広帯域幅キャリア内の狭帯域幅領域を利用することにおいて、狭帯域ＵＥが第２の基地局と通信していると決定するための手段と、ここにおいて、狭帯域幅領域が広帯域幅キャリアの中心サブキャリアとは異なる周波数に中心があり、狭帯域ＵＥが第２の基地局と通信していると決定することに少なくとも部分的に基づいて、広帯域ＵＥとの通信を調整するための手段とを含み得る。
【００２４】
[0024]  基地局におけるワイヤレス通信のためのさらなる装置について説明する。本装置は、プロセッサと、プロセッサと電子通信しているメモリと、メモリに記憶された命令とを含み得、ここにおいて、命令は、第１の基地局と通信している広帯域ＵＥを識別することと、狭帯域ＵＥが広帯域幅キャリア内の狭帯域幅領域を利用することにおいて、狭帯域ＵＥが第２の基地局と通信していると決定することと、ここにおいて、狭帯域幅領域が広帯域幅キャリアの中心サブキャリアとは異なる周波数に中心があり、狭帯域ＵＥが第２の基地局と通信していると決定することに少なくとも部分的に基づいて、広帯域ＵＥとの通信を調整することとを行うためにプロセッサによって実行可能である。
【００２５】
[0025]  基地局におけるワイヤレス通信のためのコードを記憶する非一時的コンピュータ可読媒体について説明する。コードは、第１の基地局と通信している広帯域ＵＥを識別することと、狭帯域ＵＥが広帯域幅キャリア内の狭帯域幅領域を利用することにおいて、狭帯域ＵＥが第２の基地局と通信していると決定することと、ここにおいて、狭帯域幅領域が広帯域幅キャリアの中心サブキャリアとは異なる周波数に中心があり、狭帯域ＵＥが第２の基地局と通信していると決定することに少なくとも部分的に基づいて、広帯域ＵＥとの通信を調整することとを行うために実行可能な命令を含み得る。
【００２６】
[0026]  上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００２７】
[0027]  本開示の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルだけが本明細書において使用される場合、その説明は、第２の参照ラベルにかかわらず、同じ第１の参照ラベルを有する同様の構成要素のうちのいずれにも適用可能である。
【図面の簡単な説明】
【００２８】
【図１】[0028]  本開示の様々な態様による、狭帯域デバイスにおけるＤＣサブキャリア処理のためのワイヤレス通信システムの一例を示す図。
【図２】[0029]  本開示の様々な態様による、狭帯域デバイスにおけるＤＣサブキャリア処理のためのワイヤレス通信システムの一例を示す図。
【図３】[0030]  本開示の様々な態様による、ＤＣサブキャリア処理を採用する広帯域幅システム内の狭帯域幅システムの一例を示す図。
【図４】[0031]  本開示の様々な態様による、ＤＣサブキャリア処理を採用する広帯域幅システム内の狭帯域幅システムの一例を示す図。
【図５】[0032]  本開示の様々な態様による、狭帯域デバイスにおけるＤＣサブキャリア処理のために構成されたユーザ機器（ＵＥ）のブロック図。
【図６】[0033]  本開示の様々な態様による、狭帯域デバイスにおけるＤＣサブキャリア処理のために構成されたＵＥのブロック図。
【図７】[0034]  本開示の様々な態様による、狭帯域デバイスにおけるＤＣサブキャリア処理のために構成されたＤＣサブキャリア処理モジュールのブロック図。
【図８】[0035]  本開示の様々な態様による、狭帯域デバイスにおけるＤＣサブキャリア処理のために構成されたＵＥを含むシステムのブロック図。
【図９】[0036]  本開示の様々な態様による、狭帯域デバイスにおけるＤＣサブキャリア処理のために構成された基地局のブロック図。
【図１０】[0037]  本開示の様々な態様による、狭帯域デバイスにおけるＤＣサブキャリア処理のために構成された基地局ＤＣサブキャリア処理モジュールのブロック図。
【図１１】[0038]  本開示の様々な態様による、狭帯域デバイスにおけるＤＣサブキャリア処理のために構成された基地局のブロック図。
【図１２】[0039]  本開示の様々な態様による、狭帯域デバイスにおけるＤＣサブキャリア処理のために構成された基地局を含むシステムのブロック図。
【図１３】[0040]  本開示の様々な態様による、狭帯域デバイスにおけるＤＣサブキャリア処理のための方法を示すフローチャート。
【図１４】[0041]  本開示の様々な態様による、狭帯域デバイスにおけるＤＣサブキャリア処理のための方法を示すフローチャート。
【図１５】[0042]  本開示の様々な態様による、狭帯域デバイスにおけるＤＣサブキャリア処理のための方法を示すフローチャート。
【図１６】[0043]  本開示の様々な態様による、狭帯域デバイスにおけるＤＣサブキャリア処理のための方法を示すフローチャート。
【図１７】[0044]  本開示の様々な態様による、狭帯域デバイスにおけるＤＣサブキャリア処理のための方法を示すフローチャート。
【発明を実施するための形態】
【００２９】
[0045]  たとえば、拡張マシンタイプ通信（ｅＭＴＣ：enhanced machine type communication）適用例を含む、いくつかのＬＴＥ適用例では、ＵＥはいくつかの仮定を用いて動作し得る。たとえば、ＵＥは、アップリンクとダウンリンクの両方のための狭帯域幅（narrow bandwidth）（または狭帯域（narrowband））（たとえば、１．４ＭＨｚ）無線周波数（ＲＦ）ベースバンド内での動作に制限され得、ＵＥは、既存の広帯域幅（または広帯域）（たとえば、２０ＭＨｚ）システム内で動作し得る。そのような動作制限または仕様を満たすために、狭帯域ＵＥは、利用可能な帯域幅の一部分、たとえば、利用可能な２０ＭＨｚのうちの１．４ＭＨｚを使用し得る。
【００３０】
[0046]  システム容量を増加させるために、および広帯域システム内で動作することが可能な、またはそれにアクセスすることができる狭帯域ＵＥの数を増加させるために、異なる狭帯域ＵＥが、広帯域幅キャリアの異なる一部分を割り当てられるか、または割り振られ得る。これは、狭帯域ＵＥが、広帯域キャリアの中間の６つの物理リソースブロック（ＰＲＢ：physical resource block）（たとえば、１．４ＭＨｚ）を使用して、同期信号またはシステム情報（たとえば、１次同期信号（ＰＳＳ：primary synchronization signal）、２次同期信号（ＳＳＳ：secondary synchronization signal）、または物理ブロードキャストチャネル（ＰＢＣＨ：physical broadcast channel））を収集することを可能にすることによって達成され得る。次いで、ネットワークが、広帯域キャリア内で、中間または中心１．４ＭＨｚ以外の、何らかの他の１．４ＭＨｚ帯域にＵＥをリダイレクトし得る。ＵＥは、次いで、広帯域キャリア周波数とは異なるキャリア周波数を使用するダウンリンクとアップリンクの両方のための１．４ＭＨｚ領域内で動作し得る。
【００３１】
[0047]  しかしながら、中心１．４ＭＨｚの外側でのこの動作は、ダウンリンクまたはアップリンク動作についてのいくつかの問題につながり得る。たとえば、ダウンリンクでは、ＵＥは、構成された（たとえば、狭）帯域幅の中間（middle）（または中心（center））でＤＣサブキャリアを受信すると予想し得る。ただし、割り当てられた（assigned）または割り振られた（allocated）狭帯域幅が広帯域幅システム内にあるので、および割り当てられたまたは割り振られた狭帯域幅が広帯域幅システムの中心にない場合、基地局からの狭帯域幅信号はＤＣサブキャリアを有しないことがある。この結果は、ＵＥが空のトーン（たとえば、リソース要素（ＲＥ：resource element））を仮定するが、ＲＥは真に空でないことであり得る。すなわち、ヌルサブキャリア、すなわち、ＤＣサブキャリアの仮定されたロケーションは信号を含み得る。これにより性能劣化が生じ得る。
【００３２】
[0048]  アップリンクでは、異なる問題が生じ得る。狭帯域ＵＥでは、送信機局部発振器漏れは、中心サブキャリアの周りのサブキャリア（たとえば、２つのサブキャリア）の一部をひずませ得る。基地局において、これにより、これらのトーン上で干渉が生じ得る。
【００３３】
[0049]  したがって、広帯域システムにおいて動作する狭帯域ＵＥのためのダウンリンク性能が劣化され得ることは明らかである。これは、ダウンリンク上の予想されるＤＣサブキャリアの欠如に起因するか、またはアップリンク上での追加の送信のためであり得る。いずれの場合も、ＵＥまたは基地局、あるいはその両方は、性能劣化を回避するためにＤＣサブキャリア処理技法を採用し得る。
【００３４】
[0050]  以下の説明は、例を与えるものであり、特許請求の範囲に記載される範囲、適用性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００３５】
[0051]  図１に、本開示の様々な態様による、ワイヤレス通信システム１００の一例を示す。システム１００は、基地局１０５と、少なくとも１つのＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク（backhaul link）１３２（たとえば、Ｓ１など）を通してコアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的のいずれかで（たとえば、コアネットワーク１３０を通して）、互いと通信し得る。
【００３６】
[0052]  基地局１０５は、１つまたは複数の基地局アンテナを介してＵＥ１１５とワイヤレス通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれ得る。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３７】
[0053]  いくつかの例では、ワイヤレス通信システム１００はロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル（cell）」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３８】
[0054]  マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、同じまたは異なる（たとえば、認可（licensed）、無認可（unlicensed）などの）周波数帯域内でマクロセルとして動作し得る低電力基地局である。スモールセルは、様々な例によれば、ピコセルとフェムトセルとマイクロセルとを含み得る。ピコセルは、たとえば、小さい地理的エリアをカバーし得、ネットワークプロバイダのサービスに加入しているＵＥ１１５による無制限アクセスを可能にし得る。また、フェムトセルは、小さい地理的エリア（たとえば、自宅）をカバーし得、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００３９】
[0055]  ワイヤレス通信システム１００は同期動作または非同期動作をサポートし得る。同期動作（synchronous operation）の場合、基地局１０５は同様のフレームタイミングを有し得、異なる基地局１０５からの送信は近似的に時間的に整合され得る。非同期動作（asynchronous operation）の場合、基地局１０５は異なるフレームタイミングを有し得、異なる基地局１０５からの送信は時間的に整合されないことがある。本明細書で説明する技法は、同期動作または非同期動作のいずれかのために使用され得る。
【００４０】
[0056]  様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：packet data convergence protocol）レイヤにおける通信はＩＰベースであり得る。無線リンク制御（ＲＬＣ：radio link control）レイヤが、論理チャネル上で通信するためにパケットセグメンテーションおよびリアセンブリを実行し得る。媒体アクセス制御（ＭＡＣ：medium access control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ：hybrid automatic repeat request）を使用し得る。制御プレーンでは、無線リソース制御（ＲＲＣ）プロトコルレイヤは、ＵＥ１１５と基地局１０５との間のＲＲＣ接続の確立と構成と保守とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００４１】
[0057]  ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいは当業者によってそのような用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００４２】
[0058]  いくつかのタイプのワイヤレスデバイスは、自動化された通信を提供し得る。ＵＥ１１５を含む、自動化されたワイヤレスデバイスは、マシンツーマシン（Ｍ２Ｍ：Machine-to-Machine）通信またはマシンタイプ通信（ＭＴＣ：Machine Type Communication）を実装するものを含み得る。Ｍ２Ｍまたはマシンタイプ通信（ＭＴＣ）は、デバイスが人間の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。いくつかのＵＥ１１５は、情報を収集するか、または機械の自動化された挙動を可能にするように設計されたものなど、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理（fleet management）およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に関与していないとき、電力節約「ディープスリープ（deep sleep）」モードに入るように構成され得る。いくつかの例では、ＵＥ１１５は、ｅＭＴＣデバイスであり、１．４ＭＨｚ帯域の最大値で動作するように構成された狭帯域デバイスであり得る。
【００４３】
[0059]  ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ：frequency division duplex）動作を使用して（たとえば、対スペクトルリソース（paired spectrum resources）を使用して）または時分割複信（ＴＤＤ：time division duplex）動作を使用して（たとえば、不対スペクトルリソース（unpaired spectrum resource）を使用して）双方向通信を送信し得る。ＦＤＤ（たとえば、フレーム構造タイプ１）およびＴＤＤ（たとえば、フレーム構造タイプ２）のためのフレーム構造が定義され得る。
【００４４】
[0060]  ＬＴＥシステムは、ＤＬ上で直交周波数分割多元接続（ＯＦＤＭＡ）を利用し、ＵＬ上でシングルキャリア周波数分割多元接続（ＳＣ−ＦＤＭＡ）を利用し得る。ＯＦＤＭＡおよびＳＣ−ＦＤＭＡは、システム帯域幅を、一般にトーン（tone）またはビン（bin）とも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンド（guardband）を備えた）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンド（sub-band）に区分され得る。たとえば、サブバンドは１．０８ＭＨｚをカバーし得、１つ、２つ、４つ、８つ、または１６個のサブバンドがあり得る。したがって、通信リンク１２５は、広帯域システム内の狭帯域上でのアップリンクまたはダウンリンク通信を表し得る。たとえば、通信リンク１２５は、２０ＭＨｚキャリア周波数内の１．４ＭＨｚ上でのダウンリンクまたはアップリンクであり得、１．４ＭＨｚは、２０ＭＨｚ中心周波数（たとえば、中間サブキャリア）に中心がないことがある。
【００４５】
[0061]  システム１００のいくつかの実施形態では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４６】
[0062]  ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ：component carrier）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのための、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４７】
[0063]  ｅＭＴＣデバイスを含む、いくつかのＵＥ１１５は、最初に、広帯域キャリアの中心の６つのＰＲＢ上で、基地局から、同期情報と、マスタ情報ブロック（ＭＩＢ：master information block）と、システム情報ブロック（ＳＩＢ：system information block）とを受信し得る。これは、ＰＳＳと、ＳＳＳと、ＰＢＣＨとを受信することを含み得る。異なるＳＩＢが、搬送されるシステム情報のタイプに従って定義され得る。ＳＩＢ１は、セル識別情報などのアクセス情報を含み、また、ＵＥ１１５がセルにキャンプオン（camp on）することが可能にされるかどうかを示し得る。ＳＩＢ１はセル選択情報（または、セル選択パラメータ）をも含む。さらに、ＳＩＢ１は、他のＳＩＢのためのスケジューリング情報を含む。ＳＩＢ２は、共通チャネルおよび共有チャネルに関係するアクセス情報とパラメータとを含む。ＳＩＢ３はセル再選択パラメータを含む。ＳＩＢ４およびＳＩＢ５は、ネイバリング（neighboring）ＬＴＥセルに関する再選択情報（reselection information）を含む。ＳＩＢ６〜ＳＩＢ８は、非ＬＴＥ（たとえば、ユニバーサルモバイルテレコミュニケーションズシステム（ＵＭＴＳ：Universal Mobile Telecommunications System）、ＧＥＲＡＮ、および符号分割多元接続（ＣＤＭＡ））ネイバリングセル）に関する再選択情報を含む。ＳＩＢ９は、ホームｅＮＢの名前を含む。ＳＩＢ１０〜ＳＩＢ１２は緊急事態通知情報（たとえば、津波および地震警報）を含む。また、ＳＩＢ１３は、マルチメディアブロードキャストマルチキャストサービス（ＭＢＭＳ：multimedia broadcast multicast service）構成に関係する情報を含む。
【００４８】
[0064]  一部または全部のシステム情報を受信すると、ｅＭＴＣデバイスのような、ＵＥ１１５は、広帯域キャリア内の別の１．４ＭＨｚ帯域にリダイレクトされ得る。したがって、ＵＥ１１５は、広帯域幅キャリア内での動作のために割り振られた狭帯域幅領域を識別し得る。ＵＥ１１５は、狭帯域幅領域が広帯域幅キャリアの中心サブキャリアとは異なる周波数に中心があり得ると決定し得る。ＵＥは、決定することに基づいて、狭帯域幅領域の中心周波数に関連する動作モードを選択し得る。
【００４９】
[0065]  または、いくつかの例では、基地局１０５は、広帯域幅キャリア内でのＵＥ１１５の動作のために割り振られた狭帯域幅領域を識別し得る。基地局１０５は、狭帯域幅領域が広帯域幅キャリアの中心サブキャリアとは異なる周波数に中心があり得ると決定し得る。基地局１０５は、狭帯域幅領域の中心周波数において空のサブキャリアを送信し得、基地局は、空のサブキャリアのトーンの周りの狭帯域幅領域のサブキャリアをレートマッチングし得る。
【００５０】
[0066]  次に、図２に、本開示の様々な態様による、狭帯域デバイスにおけるＤＣサブキャリア処理のためのワイヤレス通信システム２００の一例を示す。ワイヤレス通信システム２００は、図１を参照しながら上記で説明したＵＥ１１５と基地局１０５との例であり得る、ＵＥ１１５−ａおよび１１５−ｂと、基地局１０５−ａおよび１０５−ｂとを含み得る。
【００５１】
[0067]  いくつかの例では、基地局１０５−ａは、広帯域幅キャリア内でのＵＥ１１５−ａの動作のために割り振られた狭帯域幅領域を識別し得る。基地局１０５−ａは、狭帯域幅領域が広帯域幅キャリアの中心サブキャリアとは異なる周波数に中心があり得ると決定し得る。基地局１０５−ａは、狭帯域幅領域の中心周波数において（たとえば、通信リンク１２５上で）空のサブキャリアを送信し得、基地局は、空のサブキャリアのトーンの周りの狭帯域幅領域のサブキャリアをレートマッチングし得る。
【００５２】
[0068]  アップリンク動作では、たとえば、基地局メイ１０５−ａは、狭帯域幅デバイス（たとえば、ＵＥ１１５−ｂ）によるアップリンク送信を補償し得る。たとえば、基地局１０５−ａは、基地局１０５−ａと通信している広帯域ＵＥ１１５−ａを識別し得る。基地局は、狭帯域ＵＥ１１５−ｂが基地局１０５−ｂと通信していることがあり、狭帯域ＵＥ１１５−ｂが広帯域幅キャリア内の狭帯域幅領域を利用していることがあり、ここで、狭帯域幅領域が、広帯域幅キャリアの中心サブキャリアとは異なる周波数に中心があり得ると決定し得る。基地局１０５−ａは、狭帯域ＵＥ１１５−ｂが基地局１０５−ｂと通信していることがあると決定することに基づいて、広帯域ＵＥ１１５−ａとの通信を調整し得る。
【００５３】
[0069]  図３に、本開示の様々な態様による、ＤＣサブキャリア処理を採用する広帯域幅システム内の狭帯域幅システム３００の一例を示す。システム３００−ａは、周波数３０４および時間３０６の領域内で動作する広帯域キャリア３０２を含む。システム３００−ａはＤＣサブキャリア３０８と狭帯域領域３１０とを含み、システム３００−ａは、図１〜図２を参照しながら説明したシステム内でのキャリア動作を示し得る。システム３００−ｂは、１つの可能なＤＣサブキャリア処理オプションを示している。この例では、基地局は動作を変更しないことがあるが、ＵＥは、空のＤＣサブキャリアの想定されたまたは仮定されたロケーションに対応する、中間ＲＥ（middle REs）をパンクチャし得る。このパンクチャリング（puncturing）は、選択された動作モードを表し得る。たとえば、狭帯域領域３１０−ａ中で動作するＵＥが、ＤＣサブキャリア３０８−ａを予期し得る。ただし、ＵＥは、狭帯域領域３１０−ｂに示されているように、ＤＣサブキャリア３０８−ｂ中でＲＥをパンクチャし得る。すなわち、ＵＥは、予想されるロケーションにおいてＲＥを復号しないことを選択し得る。
【００５４】
[0070]  代替的の、ＵＥは別の動作モードを選択し得る。たとえば、狭帯域ＵＥが偶然広帯域キャリアと同じ中心周波数を使用している場合、調整がないことがある。ただし、狭帯域ＵＥが、広帯域システムにおいて使用されるものとは異なる中心周波数を使用している場合、およびＤＣサブキャリアが狭帯域領域内にあるが、狭帯域領域内の中心にない場合、ＵＥは、サブキャリアをダウンコンバートし、ＤＣサブキャリアを考慮するようにＦＦＴ演算を調整し得る。または、狭帯域ＵＥが、広帯域システムにおいて使用されるものとは異なる中心周波数を使用している場合、およびＤＣキャリアが狭帯域領域内にない場合、ＵＥは、サブキャリアをダウンコンバートし、より大幅にＦＦＴ演算を調整し得る。
【００５５】
[0071]  図４は、本開示の様々な態様による、ＤＣサブキャリア処理を採用する広帯域幅システム内の狭帯域幅システムの一例である。システム４００は、時間４０４および周波数４０６の領域内で動作する狭帯域キャリア４０２を含む。システム４００は、図１〜図２を参照しながら説明したシステム内でのキャリア動作を示し得る。たとえば、狭帯域領域４１０中で動作するＵＥが、中心周波数４０８においてＤＣサブキャリアを予期し得る。ただし、ＵＥは、ＤＣサブキャリア４１２が狭帯域領域４１０−ａ内にあるが、中心周波数４０８−ａがＤＣサブキャリア４１２実際のロケーションとは異なると決定し得る。たとえば、ＵＥは、広帯域キャリアの中心の６つのＰＲＢを使用しながら、システム情報を収集し得、次いで、それは狭帯域領域４１０−ａにリダイレクトされ得る。場合によっては、ＵＥは、ＤＣサブキャリア４１２のロケーションを決定するためにこの情報を使用し得る。中は、次いで、狭帯域領域４１０−ａに対するＤＣサブキャリア４１２のロケーションに応じて、ＤＣサブキャリア４１２を考慮に入れるかまたは（たとえば、ＦＦＴ演算を行うとき）考慮に入れないことによってそれの演算を調整することができる。
【００５６】
[0072]  いくつかの例では、ＵＥは、中心周波数４０８−ａがＤＣサブキャリア４１４実際のロケーションとは異なり、ＤＣサブキャリア４１４が狭帯域領域４１０−ｂから除外されると決定し得る。そのような場合、ＵＥは、ＤＣサブキャリアが、割り振られた狭帯域の外側にあるように、狭帯域キャリア周波数（たとえば、サブキャリア）をダウンコンバートし得る。場合によっては、ダウンコンバージョンのためにより、狭帯域領域がＤＣサブキャリアに隣接することになり得る。このダウンコンバージョンはキャリア周波数によるものであり得る。ダウンコンバージョンは、たとえば、［キャリア周波数]−［狭帯域幅]／２＋δによるものであり得、ここで、δはＵＥ構成可能（configurable）である。
【００５７】
[0073]  図５に、本開示の様々な態様による、狭帯域デバイスにおけるＤＣサブキャリア処理のために構成されたＵＥ１１５−ｂのブロック図５００を示す。ＵＥ１１５−ｂは、図１〜図４を参照しながら説明したＵＥ１１５の態様の一例であり得る。ＵＥ１１５−ｂは、受信機５０５、ＤＣサブキャリア処理モジュール５１０、または送信機５１５を含み得る。ＵＥ１１５−ｂはプロセッサをも含み得る。これらの構成要素の各々は互いと通信していることがある。
【００５８】
[0074]  ＵＥ１１５−ｂの構成要素は、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、少なくとも１つの集積回路（ＩＣ）上で、１つまたは複数の他の処理ユニット（またはコア）によって実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００５９】
[0075]  受信機５０５は、パケット、ユーザデータ、または様々な情報チャネルに関連する制御情報（たとえば、制御チャネル、データチャネル、および狭帯域デバイスにおけるＤＣサブキャリア処理に関係する情報など）などの情報を受信し得る。情報は、ＤＣサブキャリア処理モジュール５１０に、およびＵＥ１１５−ｂの他の構成要素に受け渡され得る。いくつかの例では、受信機５０５は、狭帯域幅領域のサブキャリア上でダウンリンク送信を受信し得る。いくつかの例では、受信機５０５は、広帯域幅キャリアの中心帯域幅領域上でシステム情報を受信し得る。いくつかの例では、受信機５０５は、基地局から狭帯域領域の指示を受信し得、ここにおいて、狭帯域幅領域を識別することは、受信された指示に基づく。いくつかの例では、受信機５０５は、狭帯域幅領域のサブキャリア上でダウンリンク送信を受信し得る。いくつかの例では、受信機５０５は、広帯域幅キャリアの中心帯域幅領域上でシステム情報を受信し得る。いくつかの例では、受信機５０５は、基地局から狭帯域領域の指示を受信し得、ここにおいて、狭帯域幅領域を識別することは、受信された指示に基づく。
【００６０】
[0076]  ＤＣサブキャリア処理モジュール５１０は、広帯域幅キャリア内での動作のために割り振られた狭帯域幅領域を識別し、狭帯域幅領域が広帯域幅キャリアの中心サブキャリアとは異なる周波数に中心があると決定し、決定することに少なくとも部分的に基づいて、狭帯域幅領域の中心周波数に関連する動作モードを選択し得る。
【００６１】
[0077]  送信機５１５は、ＵＥ１１５−ｂの他の構成要素から受信された信号を送信し得る。いくつかの実施形態では、送信機５１５は、トランシーバモジュールにおいて受信機５０５とコロケート（collocate）され得る。送信機５１５は単一のアンテナを含み得るか、またはそれは複数のアンテナを含み得る。いくつかの例では、送信機５１５は、狭帯域幅領域の中心周波数において空のサブキャリアを送信し得る。
【００６２】
[0078]  図６に、本開示の様々な態様による、狭帯域デバイスにおけるＤＣサブキャリア処理のためのＵＥ１１５−ｃのブロック図６００を示す。ＵＥ１１５−ｃは、図１〜図５を参照しながら説明したＵＥ１１５の態様の一例であり得る。ＵＥ１１５−ｃは、受信機５０５−ａ、ＤＣサブキャリア処理モジュール５１０−ａ、または送信機５１５−ａを含み得る。ＵＥ１１５−ｃはプロセッサをも含み得る。これらの構成要素の各々は互いと通信していることがある。ＤＣサブキャリア処理モジュール５１０−ａはまた、狭帯域識別モジュール（narrowband identification module）６０５と、狭帯域中心識別モジュール（narrowband center identification module）６１０と、動作モード選択モジュール（operating mode selection module）６１５とを含み得る。
【００６３】
[0079]  ＵＥ１１５−ｃの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００６４】
[0080]  受信機５０５−ａは、ＤＣサブキャリア処理モジュール５１０−ａに、およびＵＥ１１５−ｃの他の構成要素に受け渡され得る情報を受信し得る。ＤＣサブキャリア処理モジュール５１０−ａは、図５を参照しながら上記で説明した動作を実行し得る。送信機５１５−ａは、ＵＥ１１５−ｃの他の構成要素から受信された信号を送信し得る。
【００６５】
[0081]  狭帯域識別モジュール６０５は、図２〜図４を参照しながら上記で説明したように、広帯域幅キャリア内での動作のために割り振られた狭帯域幅領域を識別し得る。
【００６６】
[0082]  狭帯域中心識別モジュール６１０は、図２〜図４を参照しながら上記で説明したように、狭帯域幅領域が広帯域幅キャリアの中心サブキャリアとは異なる周波数に中心があると決定し得る。これは、受信されたシステム情報と、狭帯域幅領域を識別することとに基づき得る。場合によっては、狭帯域中心識別モジュール６１０は、狭帯域幅領域が広帯域幅キャリアの中心サブキャリアを備えると決定し得る。狭帯域中心識別モジュール６１０はまた、狭帯域幅領域が広帯域幅キャリアの中心サブキャリアを除外すると決定し得、それは、受信されたシステム情報と、狭帯域幅領域を識別することとに基づき得る。
【００６７】
[0083]  動作モード選択モジュール６１５は、図２〜図４を参照しながら上記で説明したように、決定することに少なくとも部分的に基づいて、狭帯域幅領域の中心周波数に関連する動作モードを選択し得る。
【００６８】
[0084]  図７に、本開示の様々な態様による、狭帯域デバイスにおけるＤＣサブキャリア処理のためのＤＣサブキャリア処理モジュール５１０−ｂのブロック図７００を示す。ＤＣサブキャリア処理モジュール５１０−ｂは、図５〜図６を参照しながら説明したＤＣサブキャリア処理モジュール５１０の態様の一例であり得る。ＤＣサブキャリア処理モジュール５１０−ｂは、狭帯域識別モジュール６０５−ａと、狭帯域中心識別モジュール６１０−ａと、動作モード選択モジュール６１５−ａとを含み得る。これらのモジュールの各々は、図６を参照しながら上記で説明した機能を実行し得る。ＤＣサブキャリア処理モジュール５１０−ｂは、ＤＬ送信分析器（transmission analyzer）７０５と、キャリアダウンコンバージョンモジュール（carrier down-conversion module）７１０と、ＦＦＴモジュール７１５とをも含み得る。
【００６９】
[0085]  ＤＣサブキャリア処理モジュール５１０−ｂの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００７０】
[0086]  ＤＬ送信分析器７０５は、図２〜図４を参照しながら上記で説明したように、狭帯域幅領域が広帯域幅キャリアの中心サブキャリアを備えるという決定に少なくとも部分的に基づいて、受信されたダウンリンク送信を分析し得る。ＤＬ送信分析器７０５はまた、狭帯域幅領域が広帯域幅キャリアの中心サブキャリアを除外するという決定に少なくとも部分的に基づいて、受信されたダウンリンク送信を分析し得る。
【００７１】
[0087]  キャリアダウンコンバージョンモジュール７１０は、図２〜図４を参照しながら上記で説明したように、受信されたダウンリンク送信を分析することが、広帯域幅キャリアの中心サブキャリアが、事実上狭帯域幅領域内の中心にあり得るように、割り振られた狭帯域領域のキャリア周波数をダウンコンバートすることを含み得るように構成され得る。いくつかの例では、受信されたダウンリンク送信を分析することは、広帯域幅キャリアの中心サブキャリアが狭帯域幅領域に隣接し得るように、割り振られた狭帯域領域をダウンコンバートすることを備え、ここにおいて、ダウンコンバートすることは、キャリア周波数と、狭帯域幅領域の帯域幅と、構成可能な値とに基づき得る。
【００７２】
[0088]  ＦＦＴモジュール７１５は、図２〜図４を参照しながら上記で説明したように、広帯域幅キャリアの中心サブキャリアのロケーションに基づいてＦＦＴ演算を調整し得る。ＦＦＴモジュール７１５はまた、広帯域幅キャリアの中心サブキャリアのロケーションに基づいてＦＦＴ演算を調整し得る。
【００７３】
[0089]  図８に、本開示の様々な態様による、狭帯域デバイスにおけるＤＣサブキャリア処理のために構成されたＵＥ１１５を含むシステム８００の図を示す。システム８００は、図１〜図７を参照しながら上記で説明したＵＥ１１５の一例であり得る、ＵＥ１１５−ｄを含み得る。ＵＥ１１５−ｄは、図５〜図７を参照しながら説明したＤＣサブキャリア処理モジュール５１０の一例であり得る、ＤＣサブキャリア処理モジュール８１０を含み得る。ＵＥ１１５−ｄはＤＣサブキャリア処理モジュール８２５をも含み得る。ＵＥ１１５−ｄは、通信を送信するための構成要素と通信を受信するための構成要素とを含む、双方向音声およびデータ通信のための構成要素をも含み得る。たとえば、ＵＥ１１５−ｄは、ＵＥ１１５−ｅまたは基地局１０５−ｂと双方向に通信し得る。
【００７４】
[0090]  ＤＣサブキャリア処理モジュール８２５は、図２〜図４を参照しながら上記で説明したように、動作モードを選択することが、予想される直流（ＤＣ）サブキャリアロケーションに対応するＲＥのセットをパンクチャすることを含み得るように構成され得る。
【００７５】
[0091]  ＵＥ１１５−ｄは、プロセッサモジュール８０５と、（ソフトウェア（ＳＷ）を含む）８２０メモリ８１５と、トランシーバモジュール８３５と、１つまたは複数のアンテナ８４０とをも含み得、その各々は、（たとえば、バス８４５を介して）直接または間接的に、互いと通信し得る。トランシーバモジュール８３５は、上記で説明したように、（１つまたは複数の）アンテナ８４０あるいはワイヤードリンクまたはワイヤレスリンクを介して、１つまたは複数のネットワークと双方向に通信し得る。たとえば、トランシーバモジュール８３５は、基地局１０５または別のＵＥ１１５と双方向に通信し得る。トランシーバモジュール８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｄは、単一のアンテナ８４０を含み得るが、ＵＥ１１５−ｄはまた、複数のワイヤレス送信を同時に送信または受信することが可能な複数のアンテナ８４０を有し得る。
【００７６】
[0092]  メモリ８１５は、ランダムアクセスメモリ（ＲＡＭ）および読取り専用メモリ（ＲＯＭ）を含み得る。メモリ８１５は、実行されるとプロセッサモジュール８０５に本明細書で説明する様々な機能（たとえば、狭帯域デバイスにおけるＤＣサブキャリア処理など）を実行させる命令を含むコンピュータ可読、コンピュータ実行可能ソフトウェア／ファームウェアコード８２０を記憶し得る。代替的に、ソフトウェア／ファームウェアコード８２０は、プロセッサモジュール８０５によって直接的に実行可能でないことがあるが、（たとえば、コンパイルされ実行されると）コンピュータに本明細書で説明する機能を実行させ得る。プロセッサモジュール８０５は、インテリジェントハードウェアデバイス、（たとえば、中央処理ユニット（ＣＰＵ）、マイクロコントローラ、ＡＳＩＣなど）を含み得る。
【００７７】
[0093]  図９に、本開示の様々な態様による、狭帯域デバイスにおけるＤＣサブキャリア処理のために構成された基地局１０５−ｃのブロック図９００を示す。基地局１０５−ｃは、図１〜図８を参照しながら説明した基地局１０５の態様の一例であり得る。基地局１０５−ｃは、受信機９０５、基地局ＤＣサブキャリア処理モジュール（base station DC subcarrier handling module）９１０、または送信機９１５を含み得る。基地局１０５−ｃはプロセッサをも含み得る。これらの構成要素の各々は互いと通信していることがある。
【００７８】
[0094]  基地局１０５−ｃの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００７９】
[0095]  受信機９０５は、パケット、ユーザデータ、または様々な情報チャネルに関連する制御情報（たとえば、制御チャネル、データチャネル、および狭帯域デバイスにおけるＤＣサブキャリア処理に関係する情報など）などの情報を受信し得る。情報は、基地局ＤＣサブキャリア処理モジュール９１０に、および基地局１０５−ｃの他の構成要素に受け渡され得る。いくつかの例では、受信機９０５は、狭帯域幅領域のサブキャリア上でダウンリンク送信を受信し得る。場合によっては、受信機９０５は、広帯域幅キャリアの中心帯域幅領域上でシステム情報を受信し得る。他の例では、受信機９０５は、基地局から狭帯域領域の指示を受信し得、ここで、狭帯域幅領域を識別することは、受信された指示に基づく。いくつかの例では、受信機９０５は、狭帯域幅領域のサブキャリア上でダウンリンク送信を受信し得る。場合によっては、受信機９０５は、広帯域幅キャリアの中心帯域幅領域上でシステム情報を受信し得る。
【００８０】
[0096]  基地局ＤＣサブキャリア処理モジュール９１０は、広帯域幅キャリア内での動作のために割り振られた狭帯域幅領域を識別し、狭帯域幅領域が広帯域幅キャリアの中心サブキャリアとは異なる周波数に中心があると決定し、狭帯域幅領域の中心周波数において空のサブキャリアを送信し、空のサブキャリアのトーンの周りの狭帯域幅領域のサブキャリアをレートマッチングし得る。
【００８１】
[0097]  送信機９１５は、基地局１０５−ｃの他の構成要素から受信された信号を送信し得る。いくつかの実施形態では、送信機９１５は、トランシーバモジュールにおいて受信機９０５とコロケートされ得る。送信機９１５は単一のアンテナを含み得るか、またはそれは複数のアンテナを含み得る。いくつかの例では、送信機９１５は、狭帯域幅領域の中心周波数において空のサブキャリアを送信し得る。
【００８２】
[0098]  図１０に、本開示の様々な態様による、狭帯域デバイスにおけるＤＣサブキャリア処理のための基地局１０５−ｄのブロック図１０００を示す。基地局１０５−ｄは、図１〜図９を参照しながら説明した基地局１０５の態様の一例であり得る。基地局１０５−ｄは、受信機９０５−ａ、基地局ＤＣサブキャリア処理モジュール９１０−ａ、または送信機９１５−ａを含み得る。基地局１０５−ｄはプロセッサをも含み得る。これらの構成要素の各々は互いと通信していることがある。基地局ＤＣサブキャリア処理モジュール９１０−ａは、また、ＢＳ狭帯域識別モジュール１００５と、ＢＳ狭帯域中心識別モジュール１０１０と、レートマッチングモジュール１０１５と、広帯域ＵＥ識別モジュール（wideband UE identification module）１０２０と、狭帯域ＵＥ識別モジュール１０２５と、通信調整モジュール（communication adjustment module）１０３０とを含み得る。
【００８３】
[0099]  基地局１０５−ｄの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００８４】
[0100]  受信機９０５−ａは、基地局ＤＣサブキャリア処理モジュール９１０−ａに、および基地局１０５−ｄの他の構成要素に受け渡され得る、情報を受信し得る。基地局ＤＣサブキャリア処理モジュール９１０−ａは、図９を参照しながら上記で説明した動作を実行し得る。送信機９１５−ａは、基地局１０５−ｄの他の構成要素から受信された信号を送信し得る。
【００８５】
[0101]  ＢＳ狭帯域識別モジュール１００５は、図２〜図４を参照しながら上記で説明したように、広帯域幅キャリア内での動作のために割り振られた狭帯域幅領域を識別し得る。ＢＳ狭帯域中心識別モジュール１０１０は、図２〜図４を参照しながら上記で説明したように、狭帯域幅領域が広帯域幅キャリアの中心サブキャリアとは異なる周波数に中心があると決定し得る。
【００８６】
[0102]  レートマッチングモジュール１０１５は、図２〜図４を参照しながら上記で説明したように、空のサブキャリアのトーンの周りの狭帯域幅領域のサブキャリアをレートマッチングし得る。広帯域ＵＥ識別モジュール１０２０は、図２〜図４を参照しながら上記で説明したように、第１の基地局と通信している広帯域ＵＥを識別し得る。
【００８７】
[0103]  狭帯域ＵＥ識別モジュール１０２５は、図２〜図４を参照しながら上記で説明したように、狭帯域ＵＥが広帯域幅キャリア内の狭帯域幅領域を利用することにおいて狭帯域ＵＥが第２の基地局と通信していると決定し得、ここで、狭帯域幅領域は広帯域幅キャリアの中心サブキャリアとは異なる周波数に中心がある。通信調整モジュール１０３０は、図２〜図４を参照しながら上記で説明したように、狭帯域ＵＥが第２の基地局と通信していると決定することに基づいて、広帯域ＵＥとの通信を調整し得る。
【００８８】
[0104]  図１１に、本開示の様々な態様による、狭帯域デバイスにおけるＤＣサブキャリア処理のための基地局ＤＣサブキャリア処理モジュール９１０−ｂのブロック図１１００を示す。基地局ＤＣサブキャリア処理モジュール９１０−ｂは、図９〜図１０を参照しながら説明した基地局ＤＣサブキャリア処理モジュール９１０の態様の一例であり得る。基地局ＤＣサブキャリア処理モジュール９１０−ｂはまた、ＢＳ狭帯域識別モジュール１００５−ａと、ＢＳ狭帯域中心識別モジュール１０１０−ａと、レートマッチングモジュール１０１５−ａと、広帯域ＵＥ識別モジュール１０２０−ａと、狭帯域ＵＥ識別モジュール１０２５−ａと、通信調整モジュール１０３０−ａとを含み得る。これらのモジュールの各々は、図１０を参照しながら上記で説明した機能を実行し得る。
【００８９】
[0105]  基地局ＤＣサブキャリア処理モジュール９１０−ｂの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００９０】
[0106]  図１２に、本開示の様々な態様による、狭帯域デバイスにおけるＤＣサブキャリア処理のために構成された基地局１０５を含むシステム１２００の図を示す。システム１２００は、図１〜図１１を参照しながら上記で説明した基地局１０５の一例であり得る、基地局１０５−ｅを含み得る。基地局１０５−ｅは、図９〜図１１を参照しながら説明した基地局ＤＣサブキャリア処理モジュール９１０の一例であり得る、基地局ＤＣサブキャリア処理モジュール１２１０を含み得る。基地局１０５−ｅは、通信を送信するための構成要素と通信を受信するための構成要素とを含む、双方向音声およびデータ通信のための構成要素をも含み得る。たとえば、基地局１０５−ｅは、基地局１０５−ｍまたは基地局１０５−ｎと双方向に通信し得る。
【００９１】
[0107]  場合によっては、基地局１０５−ｅは、１つまたは複数のワイヤードバックホールリンクを有し得る。基地局１０５−ｅは、コアネットワーク１３０へのワイヤードバックホールリンク（たとえば、Ｓ１インターフェースなど）を有し得る。基地局１０５−ｅはまた、基地局間バックホールリンク（たとえば、Ｘ２インターフェース）を介して、基地局１０５−ｍおよび基地局１０５−ｎなど、他の基地局１０５と通信し得る。基地局１０５の各々は、同じまたは異なるワイヤレス通信技術を使用してＵＥ１１５と通信し得る。場合によっては、基地局１０５−ｅは、基地局通信モジュール１２２５を利用して１０５−ｍまたは１０５−ｎなどの他の基地局と通信し得る。いくつかの実施形態では、基地局通信モジュール１２２５は、基地局１０５のうちのいくつかの間の通信を行うために、ＬＴＥ／ＬＴＥ−Ａワイヤレス通信ネットワーク技術内のＸ２インターフェースを与え得る。いくつかの実施形態では、基地局１０５−ｅは、コアネットワーク１３０を通して他の基地局と通信し得る。場合によっては、基地局１０５−ｅは、ネットワーク通信モジュール１２３５を通してコアネットワーク１３０と通信し得る。
【００９２】
[0108]  基地局１０５−ｅは、プロセッサモジュール１２０５と、（ソフトウェア（ＳＷ）１２２０を含む）メモリ１２１５と、トランシーバモジュール１２３０と、（１つまたは複数の）アンテナ１２４０とを含み得、その各々は、（たとえば、バスシステム１２４５を介して）直接または間接的に、互いと通信していることがある。トランシーバモジュール１２３０は、（１つまたは複数の）アンテナ１２４０を介して、マルチモードデバイスであり得るＵＥ１１５と双方向に通信するように構成され得る。トランシーバモジュール１２３０（または基地局１０５−ｅの他の構成要素）は、また、アンテナ１２４０を介して、１つまたは複数の他の基地局（図示せず）と双方向に通信するように構成され得る。トランシーバモジュール１２３０は、パケットを変調し、変調されたパケットを送信のためにアンテナ１２４０に与え、アンテナ１２４０から受信されたパケットを復調するように構成されたモデムを含み得る。基地局１０５−ｅは、各々が１つまたは複数の関連するアンテナ１２４０をもつ、複数のトランシーバモジュール１２３０を含み得る。トランシーバモジュールは、図９の組み合わせられた受信機９０５および送信機９１５の一例であり得る。
【００９３】
[0109]  メモリ１２１５はＲＡＭおよびＲＯＭを含み得る。メモリ１２１５は、また、実行されると、プロセッサモジュール１２０５に本明細書で説明する様々な機能（たとえば、狭帯域デバイスにおけるＤＣサブキャリア処理、カバレージ拡張技法を選択すること、呼処理、データベース管理、メッセージルーティングなど）を実行させるように構成された命令を含んでいるコンピュータ可読、コンピュータ実行可能ソフトウェアコード１２２０を記憶し得る。代替的に、ソフトウェアコード１２２０は、プロセッサモジュール１２０５によって直接的に実行可能でないことがあるが、たとえば、コンパイルされ実行されると、コンピュータに本明細書で説明する機能を実行させるように構成され得る。プロセッサモジュール１２０５は、インテリジェントハードウェアデバイス、たとえば、ＣＰＵ、マイクロコントローラ、ＡＳＩＣなどを含み得る。プロセッサモジュール１２０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００９４】
[0110]  基地局通信モジュール１２２５は、他の基地局１０５との通信を管理し得る。通信管理モジュールは、他の基地局１０５と協働してＵＥ１１５との通信を制御するためのコントローラまたはスケジューラを含み得る。たとえば、基地局通信モジュール１２２５は、ビームフォーミングまたはジョイント送信などの様々な干渉緩和技法のためのＵＥ１１５への送信のためのスケジューリングを協調させ得る。
【００９５】
[0111]  図１３に、本開示の様々な態様による、狭帯域デバイスにおけるＤＣサブキャリア処理のための方法１３００を示すフローチャートを示す。方法１３００の動作は、図１〜図１２を参照しながら説明したようにＵＥ１１５またはそれの構成要素によって実装され得る。たとえば、方法１３００の動作は、図５〜図９を参照しながら説明したようにＤＣサブキャリア処理モジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。
【００９６】
[0112]  ブロック１３０５において、ＵＥ１１５は、図２〜図４を参照しながら上記で説明したように、広帯域幅キャリア内での動作のために割り振られた狭帯域幅領域を識別する。いくつかの例では、ブロック１３０５の動作は、図６を参照しながら上記で説明したように狭帯域識別モジュール６０５によって実行され得る。
【００９７】
[0113]  ブロック１３１０において、ＵＥ１１５は、図２〜図４を参照しながら上記で説明したように、狭帯域幅領域が広帯域幅キャリアの中心サブキャリアとは異なる周波数に中心があると決定する。いくつかの例では、ブロック１３１０の動作は、図６を参照しながら上記で説明したように狭帯域中心識別モジュール６１０によって実行され得る。
【００９８】
[0114]  ブロック１３１５において、ＵＥ１１５は、図２〜図４を参照しながら上記で説明したように、決定することに少なくとも部分的に基づいて、狭帯域幅領域の中心周波数に関連する動作モードを選択する。いくつかの例では、ブロック１３１５の動作は、図６を参照しながら上記で説明したように動作モード選択モジュール６１５によって実行され得る。
【００９９】
[0115]  図１４に、本開示の様々な態様による、狭帯域デバイスにおけるＤＣサブキャリア処理のための方法１４００を示すフローチャートを示す。方法１４００の動作は、図１〜図１２を参照しながら説明したようにＵＥ１１５またはそれの構成要素によって実装され得る。たとえば、方法１４００の動作は、図５〜図９を参照しながら説明したようにＤＣサブキャリア処理モジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１４００はまた、図１３の方法１３００の態様を組み込み得る。
【０１００】
[0116]  ブロック１４０５において、ＵＥ１１５は、図２〜図４を参照しながら上記で説明したように、広帯域幅キャリア内での動作のために割り振られた狭帯域幅領域を識別する。いくつかの例では、ブロック１４０５の動作は、図６を参照しながら上記で説明したように狭帯域識別モジュール６０５によって実行され得る。
【０１０１】
[0117]  ブロック１４１０において、ＵＥ１１５は、図２〜図４を参照しながら上記で説明したように、狭帯域幅領域が広帯域幅キャリアの中心サブキャリアを備えると決定する。いくつかの例では、ブロック１４１０の動作は、図６を参照しながら上記で説明したように狭帯域中心識別モジュール６１０によって実行され得る。
【０１０２】
[0118]  ブロック１４１５において、ＵＥ１１５は、図２〜図４を参照しながら上記で説明したように、決定することに少なくとも部分的に基づいて、狭帯域幅領域の中心周波数に関連する動作モードを選択する。いくつかの例では、ブロック１４１５の動作は、図６を参照しながら上記で説明したように動作モード選択モジュール６１５によって実行され得る。
【０１０３】
[0119]  ブロック１４２０において、ＵＥ１１５は、図２〜図４を参照しながら上記で説明したように狭帯域幅領域のサブキャリア上でダウンリンク送信を受信する。いくつかの例では、ブロック１４２０の動作は、図５を参照しながら上記で説明したように受信機５０５よって実行され得る。
【０１０４】
[0120]  ブロック１４２５において、ＵＥ１１５は、図２〜図４を参照しながら上記で説明したように、狭帯域幅領域が広帯域幅キャリアの中心サブキャリアを備えるという決定に少なくとも部分的に基づいて、受信されたダウンリンク送信を分析する。いくつかの例では、ブロック１４２５の動作は、図７を参照しながら上記で説明したようにＤＬ送信分析器７０５によって実行され得る。
【０１０５】
[0121]  図１５に、本開示の様々な態様による、狭帯域デバイスにおけるＤＣサブキャリア処理のための方法１５００を示すフローチャートを示す。方法１５００の動作は、図１〜図１２を参照しながら説明したようにＵＥ１１５またはそれの構成要素によって実装され得る。たとえば、方法１５００の動作は、図５〜図９を参照しながら説明したようにＤＣサブキャリア処理モジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１５００はまた、図１３〜図１４の方法１３００、および１４００の態様を組み込み得る。
【０１０６】
[0122]  ブロック１５０５において、ＵＥ１１５は、図２〜図４を参照しながら上記で説明したように、広帯域幅キャリア内での動作のために割り振られた狭帯域幅領域を識別する。いくつかの例では、ブロック１５０５の動作は、図６を参照しながら上記で説明したように狭帯域識別モジュール６０５によって実行され得る。
【０１０７】
[0123]  ブロック１５１０において、ＵＥ１１５は、図２〜図４を参照しながら上記で説明したように、狭帯域幅領域が広帯域幅キャリアの中心サブキャリアを除外すると決定する。いくつかの例では、ブロック１５１０の動作は、図６を参照しながら上記で説明したように狭帯域中心識別モジュール６１０によって実行され得る。
【０１０８】
[0124]  ブロック１５１５において、ＵＥ１１５は、図２〜図４を参照しながら上記で説明したように、決定することに少なくとも部分的に基づいて、狭帯域幅領域の中心周波数に関連する動作モードを選択する。いくつかの例では、ブロック１５１５の動作は、図６を参照しながら上記で説明したように動作モード選択モジュール６１５によって実行され得る。
【０１０９】
[0125]  ブロック１５２０において、ＵＥ１１５は、図２〜図４を参照しながら上記で説明したように狭帯域幅領域のサブキャリア上でダウンリンク送信を受信する。いくつかの例では、ブロック１５２０の動作は、図５を参照しながら上記で説明したように受信機５０５よって実行され得る。
【０１１０】
[0126]  ブロック１５２５において、ＵＥ１１５は、図２〜図４を参照しながら上記で説明したように、狭帯域幅領域が広帯域幅キャリアの中心サブキャリアを除外するという決定に少なくとも部分的に基づいて、受信されたダウンリンク送信を分析する。いくつかの例では、ブロック１５２５の動作は、図７を参照しながら上記で説明したようにＤＬ送信分析器７０５によって実行され得る。
【０１１１】
[0127]  図１６に、本開示の様々な態様による、狭帯域デバイスにおけるＤＣサブキャリア処理のための方法１６００を示すフローチャートを示す。方法１６００の動作は、図１〜図１２を参照しながら説明したように基地局１０５またはそれの構成要素によって実装され得る。たとえば、方法１６００の動作は、図９〜図１３を参照しながら説明したように基地局ＤＣサブキャリア処理モジュール９１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。方法１６００は、また、図１３〜図１５の方法１３００、１４００、および１５００の態様を組み込み得る。
【０１１２】
[0128]  ブロック１６０５において、基地局１０５は、図２〜図４を参照しながら上記で説明したように、広帯域幅キャリア内での動作のために割り振られた狭帯域幅領域を識別する。場合によっては、基地局１０５は、ＵＥ１１５に狭帯域領域の指示を送信し得る。他の例では、基地局１０５は、広帯域幅キャリアの中心帯域幅領域上でシステム情報を送信し得る。いくつかの例では、ブロック１６０５の動作は、図６を参照しながら上記で説明したように狭帯域識別モジュール６０５によって、または図９を参照しながら上記で説明したように送信機９１５によって実行され得る。
【０１１３】
[0129]  ブロック１６１０において、基地局１０５は、図２〜図４を参照しながら上記で説明したように、狭帯域幅領域が広帯域幅キャリアの中心サブキャリアとは異なる周波数に中心があると決定する。いくつかの例では、ブロック１６１０の動作は、図６を参照しながら上記で説明したように狭帯域中心識別モジュール６１０によって実行され得る。
【０１１４】
[0130]  ブロック１６１５において、基地局１０５は、図２〜図４を参照しながら上記で説明したように、狭帯域幅領域中でＵＥと通信し、ここで、通信することは、狭帯域幅領域の中心周波数のトーンの周りの狭帯域幅領域のサブキャリアをレートマッチングすることを備える。いくつかの例では、通信することは、狭帯域幅領域の中心周波数において空のサブキャリアを送信することを含み得る。通信することは、狭帯域幅領域のサブキャリア上でダウンリンク送信を送信することをも含み得る。いくつかの例では、ブロック１６１５の動作は、図９を参照しながら上記で説明したように送信機９１５によって、または図１０を参照しながら上記で説明したようにレートマッチングモジュール１０１５によって実行され得る。
【０１１５】
[0131]  図１７に、本開示の様々な態様による、狭帯域デバイスにおけるＤＣサブキャリア処理のための方法１７００を示すフローチャートを示す。方法１７００の動作は、図１〜図１２を参照しながら説明したように基地局１０５またはそれの構成要素によって実装され得る。たとえば、方法１７００の動作は、図９〜図１３を参照しながら説明したように基地局ＤＣサブキャリア処理モジュール９１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。方法１７００はまた、図１３〜図１６の方法１３００、１４００、１５００、および１６００の態様を組み込み得る。
【０１１６】
[0132]  ブロック１７０５において、基地局１０５は、図２〜図４を参照しながら上記で説明したように、第１の基地局と通信している広帯域ＵＥを識別する。いくつかの例では、ブロック１７０５の動作は、図１を参照しながら上記で説明したように広帯域ＵＥ識別モジュール１０２０によって実行され得る。
【０１１７】
[0133]  ブロック１７１０において、基地局１０５は、図２〜図４を参照しながら上記で説明したように、狭帯域ＵＥが広帯域幅キャリア内の狭帯域幅領域を利用することにおいて狭帯域ＵＥが第２の基地局と通信していると決定し、ここにおいて、狭帯域幅領域は広帯域幅キャリアの中心サブキャリアとは異なる周波数に中心がある。いくつかの例では、ブロック１７１０の動作は、図１を参照しながら上記で説明したように狭帯域ＵＥ識別モジュール１０２５によって実行され得る。
【０１１８】
[0134]  ブロック１７１５において、基地局１０５は、図２〜図４を参照しながら上記で説明したように、狭帯域ＵＥが第２の基地局と通信していると決定することに少なくとも部分的に基づいて、広帯域ＵＥとの通信を調整する。いくつかの例では、ブロック１７１５の動作は、図１を参照しながら上記で説明したように通信調整モジュール１０３０によって実行され得る。
【０１１９】
[0135]  したがって、方法１３００、１４００、１５００、１６００、および１７００は、狭帯域デバイスにおけるＤＣサブキャリア処理を行い得る。方法１３００、１４００、１５００、１６００、および１７００は可能な実装形態を表すこと、ならびに動作およびステップは、他の実装形態が可能であるように、並べ替えられるかまたは場合によっては変更され得ることに留意されたい。いくつかの例では、方法１３００、１４００、１５００、１６００、および１７００のうちの２つまたはそれ以上からの態様が組み合わせられ得る。
【０１２０】
[0136]  添付の図面に関して上記に記載した詳細な説明は、例示的な実施形態について説明しており、実装され得るまたは特許請求の範囲内に入るすべての実施形態を表すとは限らない。この説明全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【０１２１】
[0137]  情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２２】
[0138]  本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１２３】
[0139]  本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、［Ａ、Ｂ、またはＣのうちの少なくとも１つ]の列挙が、ＡまたはＢまたはＣまたはＡＢまたはＡＣまたはＢＣまたはＡＢＣ（すなわち、ＡおよびＢおよびＣ）を意味するような包括的列挙を示す。
【０１２４】
[0140]  コンピュータ可読媒体は、ある場所から別の場所へのコンピュータプログラムの転送を可能にする任意の媒体を含む、非一時的コンピュータ記憶媒体（non-transitory computer storage media）と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１２５】
[0141]  本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
【０１２６】
[0142]  本明細書で説明した技法は、ＣＤＭＡ、時分割多元接続（ＴＤＭＡ）、周波数分割多元接続（ＦＤＭＡ）、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
【図１】
2020115650.tif 000003
【図２】
2020115650.tif 000004
【図３】
2020115650.tif 000005
【図４】
2020115650.tif 000006
【図５】
2020115650.tif 000007
【図６】
2020115650.tif 000008
【図７】
2020115650.tif 000009
【図８】
2020115650.tif 000010
【図９】
2020115650.tif 000011
【図１０】
2020115650.tif 000012
【図１１】
2020115650.tif 000013
【図１２】
2020115650.tif 000014
【図１３】
2020115650.tif 000015
【図１４】
2020115650.tif 000016
【図１５】
2020115650.tif 000017
【図１６】
2020115650.tif 000018
【図１７】
2020115650.tif 000019
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
広帯域幅キャリアの中心帯域幅領域上でシステム情報を受信することと、
前記受信されたシステム情報に少なくとも部分的に基づいて、前記広帯域幅キャリアおよび前記広帯域幅キャリアの直流（ＤＣ）サブキャリア内での動作のために割り振られた狭帯域幅領域を識別することと、
前記受信されたシステム情報に少なくとも部分的に基づいて、前記狭帯域幅領域の中心周波数を前記広帯域幅キャリアの前記ＤＣサブキャリアと比較することと、
前記比較に少なくとも部分的に基づいて、前記狭帯域幅領域の前記中心周波数に関連する動作モードを選択することと
を備える、方法。
【請求項２】
前記動作モードを選択することが、
前記ＤＣサブキャリアのロケーションにおけるリソース要素（ＲＥ）のセットをパンクチャすることを備える、請求項１に記載の方法。
【請求項３】
前記狭帯域幅領域が前記広帯域幅キャリア内の前記ＤＣサブキャリアを備えると決定することと、
前記狭帯域幅領域のサブキャリア上でダウンリンク送信を受信することと、
前記狭帯域幅領域が前記広帯域幅キャリア内の前記ＤＣサブキャリアを備えるという前記決定に少なくとも部分的に基づいて、前記ダウンリンク送信を分析することと
をさらに備える、請求項１に記載の方法。
【請求項４】
前記ダウンリンク送信を分析することは、
前記広帯域幅キャリア内の前記ＤＣサブキャリアが、事実上前記狭帯域幅領域内の中心にあるように、前記狭帯域幅領域のキャリア周波数をダウンコンバートすることを備える、請求項３に記載の方法。
【請求項５】
前記広帯域幅キャリア内の前記ＤＣサブキャリアのロケーションに少なくとも部分的に基づいて高速フーリエ変換（ＦＦＴ）演算を調整することをさらに備える、請求項４に記載の方法。
【請求項６】
前記狭帯域幅領域が前記広帯域幅キャリア内の前記ＤＣサブキャリアを除外すると決定することと、
前記狭帯域幅領域のサブキャリア上でダウンリンク送信を受信することと、
前記狭帯域幅領域が前記広帯域幅キャリア内の前記ＤＣサブキャリアを除外するという前記決定に少なくとも部分的に基づいて、前記ダウンリンク送信を分析することと
をさらに備える、請求項１に記載の方法。
【請求項７】
前記ダウンリンク送信を分析することは、
前記広帯域幅キャリア内の前記ＤＣサブキャリアが前記狭帯域幅領域に隣接するように、前記狭帯域幅領域をダウンコンバートすることを備え、ここにおいて、前記ダウンコンバートすることが、前記広帯域幅キャリアの周波数と、前記狭帯域幅領域の帯域幅と、構成可能な値とに少なくとも部分的に基づく、請求項６に記載の方法。
【請求項８】
前記広帯域幅キャリアの前記ＤＣサブキャリアのロケーションに少なくとも部分的に基づいてＦＦＴ演算を調整することをさらに備える、請求項７に記載の方法。
【請求項９】
基地局におけるワイヤレス通信の方法であって、
広帯域幅キャリアの中心帯域幅領域上でシステム情報を受信することと、
前記受信されたシステム情報に少なくとも部分的に基づいて、前記広帯域幅キャリアおよび前記広帯域幅キャリアの直流（ＤＣ）サブキャリア内での動作のために割り振られた狭帯域幅領域を識別することと、
前記受信されたシステム情報に少なくとも部分的に基づいて、前記狭帯域幅領域の中心周波数を前記広帯域幅キャリアの前記ＤＣサブキャリアと比較することと、
前記狭帯域幅領域の前記中心周波数のトーンの周りの前記狭帯域幅領域のサブキャリアをレートマッチングすることによって、前記狭帯域幅領域中でユーザ機器（ＵＥ）と通信することと
を備える、方法。
【請求項１０】
前記ＵＥと通信することが、
前記狭帯域幅領域の前記中心周波数において空のサブキャリアを送信することを備える、請求項９に記載の方法。
【請求項１１】
前記広帯域幅キャリアの中心帯域幅領域上でシステム情報を送信することをさらに備える、請求項９に記載の方法。
【請求項１２】
前記ＵＥに前記狭帯域幅領域の指示を送信することをさらに備える、請求項９に記載の方法。
【請求項１３】
前記狭帯域幅領域中で前記ＵＥと通信することが、
前記狭帯域幅領域のサブキャリア上でダウンリンクデータを送信することを備える、請求項９に記載の方法。
【請求項１４】
ユーザ機器（ＵＥ）におけるワイヤレス通信のための装置であって、
プロセッサと、
前記プロセッサと電子通信しているメモリと、
前記メモリ中に記憶された命令と
を備え、前記命令は、
広帯域幅キャリアの中心帯域幅領域上でシステム情報を受信することと、
前記受信されたシステム情報に少なくとも部分的に基づいて、前記広帯域幅キャリアおよび前記広帯域幅キャリアの直流（ＤＣ）サブキャリア内での動作のために割り振られた狭帯域幅領域を識別することと、
前記受信されたシステム情報に少なくとも部分的に基づいて、前記狭帯域幅領域の中心周波数を前記広帯域幅キャリアの前記ＤＣサブキャリアと比較することと、
前記比較に少なくとも部分的に基づいて、前記狭帯域幅領域の前記中心周波数に関連する動作モードを選択することと
を行うように前記プロセッサによって実行可能である、装置。
【請求項１５】
前記命令は、
前記ＤＣサブキャリアのロケーションにおけるリソース要素（ＲＥ）のセットをパンクチャするように前記プロセッサによって実行可能である、請求項１４に記載の装置。
【請求項１６】
前記命令は、
前記狭帯域幅領域が前記広帯域幅キャリア内のＤＣサブキャリアを備えると決定することと、
前記狭帯域幅領域のサブキャリア上でダウンリンク送信を受信することと、
前記狭帯域幅領域が前記広帯域幅キャリア内の前記ＤＣサブキャリアを備えるという前記決定に少なくとも部分的に基づいて、前記ダウンリンク送信を分析することと
を行うように前記プロセッサによって実行可能である、請求項１４に記載の装置。
【請求項１７】
前記命令は、
前記広帯域幅キャリア内の前記ＤＣサブキャリアが、事実上前記狭帯域幅領域内の中心にあるように、前記狭帯域幅領域のキャリア周波数をダウンコンバートするように前記プロセッサによって実行可能である、請求項１６に記載の装置。
【請求項１８】
前記命令は、
前記広帯域幅キャリア内の前記ＤＣサブキャリアのロケーションに少なくとも部分的に基づいて高速フーリエ変換（ＦＦＴ）演算を調整するように前記プロセッサによって実行可能である、請求項１７に記載の装置。
【請求項１９】
前記命令は、
前記狭帯域幅領域が前記広帯域幅キャリア内の前記ＤＣサブキャリアを除外すると決定することと、
前記狭帯域幅領域のサブキャリア上でダウンリンク送信を受信することと、
前記狭帯域幅領域が前記広帯域幅キャリア内の前記ＤＣサブキャリアを除外するという前記決定に少なくとも部分的に基づいて、前記ダウンリンク送信を分析することと
を行うように前記プロセッサによって実行可能である、請求項１４に記載の装置。
【請求項２０】
前記命令は、
前記広帯域幅キャリアの周波数と、前記狭帯域幅領域の帯域幅と、構成可能な値とに少なくとも部分的に基づいて、前記広帯域幅キャリア内の前記ＤＣサブキャリアが前記狭帯域幅領域に隣接するように、前記狭帯域幅領域をダウンコンバートするように前記プロセッサによって実行可能である、請求項１９に記載の装置。
【請求項２１】
前記命令は、
前記広帯域幅キャリア内の前記ＤＣサブキャリアのロケーションに少なくとも部分的に基づいてＦＦＴ演算を調整するように前記プロセッサによって実行可能である、請求項２０に記載の装置。
【請求項２２】
基地局におけるワイヤレス通信のための装置であって、
プロセッサと、
前記プロセッサと電子通信しているメモリと、
前記メモリ中に記憶された命令と
を備え、前記命令は、
広帯域幅キャリアの中心帯域幅領域上でシステム情報を受信することと、
前記受信されたシステム情報に少なくとも部分的に基づいて、前記広帯域幅キャリアおよび前記広帯域幅キャリアの直流（ＤＣ）サブキャリア内での動作のために割り振られた狭帯域幅領域を識別することと、
前記受信されたシステム情報に少なくとも部分的に基づいて、前記狭帯域幅領域の中心周波数を前記広帯域幅キャリアの前記ＤＣサブキャリアと比較することと、
前記狭帯域幅領域の前記中心周波数のトーンの周りの前記狭帯域幅領域のサブキャリアをレートマッチングすることによって、前記狭帯域幅領域中でユーザ機器（ＵＥ）と通信することと
を行うように前記プロセッサによって実行可能である、装置。
【請求項２３】
前記命令は、
前記狭帯域幅領域の前記中心周波数において空のサブキャリアを送信するように前記プロセッサによって実行可能である、請求項２２に記載の装置。
【請求項２４】
前記命令は、
前記広帯域幅キャリアの中心帯域幅領域上でシステム情報を送信するように前記プロセッサによって実行可能である、請求項２２に記載の装置。
【請求項２５】
前記命令は、
前記ＵＥに前記狭帯域幅領域の指示を送信するように前記プロセッサによって実行可能である、請求項２２に記載の装置。
【請求項２６】
前記命令は、
前記狭帯域幅領域のサブキャリア上でダウンリンクデータを送信するように前記プロセッサによって実行可能である、請求項２２に記載の装置。
【手続補正２】
【補正対象書類名】明細書
【補正対象項目名】０１２６
【補正方法】変更
【補正の内容】
【０１２６】
[0142]  本明細書で説明した技法は、ＣＤＭＡ、時分割多元接続（ＴＤＭＡ）、周波数分割多元接続（ＦＤＭＡ）、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
［Ｃ１］
ユーザ機器（ＵＥ）におけるワイヤレス通信の方法であって、
広帯域幅キャリア内での動作のために割り振られた狭帯域幅領域を識別することと、
前記狭帯域幅領域が前記広帯域幅キャリアの中心サブキャリアとは異なる周波数に中心があると決定することと、
前記決定することに少なくとも部分的に基づいて、前記狭帯域幅領域の中心周波数に関連する動作モードを選択することと
を備える、方法。
［Ｃ２］
前記動作モードを選択することが、
予想される直流（ＤＣ）サブキャリアロケーションに対応するリソース要素（ＲＥ）のセットをパンクチャすること
を備える、Ｃ１に記載の方法。
［Ｃ３］
前記狭帯域幅領域が前記広帯域幅キャリアの前記中心サブキャリアを備えると決定することと、
前記狭帯域幅領域のサブキャリア上でダウンリンク送信を受信することと、
前記狭帯域幅領域が前記広帯域幅キャリアの前記中心サブキャリアを備えるという前記決定に少なくとも部分的に基づいて、前記ダウンリンク送信を分析することと
をさらに備える、Ｃ１に記載の方法。
［Ｃ４］
前記ダウンリンク送信を分析することは、
前記広帯域幅キャリアの前記中心サブキャリアが、事実上前記狭帯域幅領域内の中心にあるように、前記狭帯域幅領域のキャリア周波数をダウンコンバートすること
を備える、Ｃ３に記載の方法。
［Ｃ５］
前記広帯域幅キャリアの前記中心サブキャリアのロケーションに少なくとも部分的に基づいて高速フーリエ変換（ＦＦＴ）演算を調整すること
をさらに備える、Ｃ４に記載の方法。
［Ｃ６］
前記広帯域幅キャリアの中心帯域幅領域上でシステム情報を受信することと、
基地局から前記狭帯域幅領域の指示を受信することと、ここにおいて、前記狭帯域幅領域を識別することが、前記受信された指示に少なくとも部分的に基づく、
をさらに備え、
ここにおいて、前記狭帯域幅領域が前記広帯域幅キャリアの前記中心サブキャリアとは前記異なる周波数に中心があると決定することが、前記システム情報と、前記狭帯域幅領域を識別することとに少なくとも部分的に基づく、
Ｃ３に記載の方法。
［Ｃ７］
前記狭帯域幅領域が前記広帯域幅キャリアの前記中心サブキャリアを除外すると決定することと、
前記狭帯域幅領域のサブキャリア上でダウンリンク送信を受信することと、
前記狭帯域幅領域が前記広帯域幅キャリアの前記中心サブキャリアを除外するという前記決定に少なくとも部分的に基づいて、前記ダウンリンク送信を分析することと
をさらに備える、Ｃ１に記載の方法。
［Ｃ８］
前記ダウンリンク送信を分析することは、
前記広帯域幅キャリアの前記中心サブキャリアが前記狭帯域幅領域に隣接するように、前記狭帯域幅領域をダウンコンバートすることを備え、ここにおいて、前記ダウンコンバートすることが、前記広帯域幅キャリアの周波数と、前記狭帯域幅領域の帯域幅と、構成可能な値とに少なくとも部分的に基づく、
Ｃ７に記載の方法。
［Ｃ９］
前記広帯域幅キャリアの前記中心サブキャリアのロケーションに少なくとも部分的に基づいてＦＦＴ演算を調整すること
をさらに備える、Ｃ８に記載の方法。
［Ｃ１０］
前記広帯域幅キャリアの中心帯域幅領域上でシステム情報を受信することと、
基地局から前記狭帯域幅領域の指示を受信することと、ここにおいて、前記狭帯域幅領域を識別することが、前記受信された指示に少なくとも部分的に基づく、
をさらに備え、
ここにおいて、前記狭帯域幅領域が前記広帯域幅キャリアの前記中心サブキャリアとは前記異なる周波数に中心があると決定することが、前記システム情報と、前記狭帯域幅領域を識別することとに少なくとも部分的に基づく、
Ｃ７に記載の方法。
［Ｃ１１］
基地局におけるワイヤレス通信の方法であって、
広帯域幅キャリア内での動作のために割り振られた狭帯域幅領域を識別することと、
前記狭帯域幅領域が前記広帯域幅キャリアの中心サブキャリアとは異なる周波数に中心があると決定することと、
前記狭帯域幅領域の中心周波数のトーンの周りの前記狭帯域幅領域のサブキャリアをレートマッチングすることによって、前記狭帯域幅領域中でユーザ機器（ＵＥ）と通信することと
を備える、方法。
［Ｃ１２］
前記ＵＥと通信することが、
前記狭帯域幅領域の前記中心周波数において空のサブキャリアを送信すること
を備える、Ｃ１１に記載の方法。
［Ｃ１３］
前記広帯域幅キャリアの中心帯域幅領域上でシステム情報を送信すること
をさらに備える、Ｃ１１に記載の方法。
［Ｃ１４］
前記ＵＥに前記狭帯域幅領域の指示を送信すること
をさらに備える、Ｃ１１に記載の方法。
［Ｃ１５］
前記狭帯域幅領域中で前記ＵＥと通信することが、
前記狭帯域幅領域のサブキャリア上でダウンリンクデータを送信すること
を備える、Ｃ１１に記載の方法。
［Ｃ１６］
ユーザ機器（ＵＥ）におけるワイヤレス通信のための装置であって、
広帯域幅キャリア内での動作のために割り振られた狭帯域幅領域を識別するための手段と、
前記狭帯域幅領域が前記広帯域幅キャリアの中心サブキャリアとは異なる周波数に中心があると決定するための手段と、
前記決定することに少なくとも部分的に基づいて、前記狭帯域幅領域の中心周波数に関連する動作モードを選択するための手段と
を備える、装置。
［Ｃ１７］
前記動作モードを選択するための前記手段が、
予想される直流（ＤＣ）サブキャリアロケーションに対応するリソース要素（ＲＥ）のセットをパンクチャするための手段
を備える、Ｃ１６に記載の装置。
［Ｃ１８］
前記狭帯域幅領域が前記広帯域幅キャリアの前記中心サブキャリアを備えると決定するための手段と、
前記狭帯域幅領域のサブキャリア上でダウンリンク送信を受信するための手段と、
前記狭帯域幅領域が前記広帯域幅キャリアの前記中心サブキャリアを備えるという決定に少なくとも部分的に基づいて、前記ダウンリンク送信を分析するための手段と
をさらに備える、Ｃ１６に記載の装置。
［Ｃ１９］
前記ダウンリンク送信を分析するための前記手段は、
前記広帯域幅キャリアの前記中心サブキャリアが、事実上前記狭帯域幅領域内の中心にあるように、前記狭帯域幅領域のキャリア周波数をダウンコンバートするための手段
を備える、Ｃ１８に記載の装置。
［Ｃ２０］
前記広帯域幅キャリアの前記中心サブキャリアのロケーションに少なくとも部分的に基づいて高速フーリエ変換（ＦＦＴ）演算を調整するための手段
をさらに備える、Ｃ１９に記載の装置。
［Ｃ２１］
前記広帯域幅キャリアの中心帯域幅領域上でシステム情報を受信するための手段と、
基地局から前記狭帯域幅領域の指示を受信するための手段と、ここにおいて、前記狭帯域幅領域を識別するための前記手段が、受信された指示に少なくとも部分的に基づいて動作可能である、
をさらに備え、
前記狭帯域幅領域が前記広帯域幅キャリアの前記中心サブキャリアとは前記異なる周波数に中心があると決定するための手段が、受信されたシステム情報と、識別された狭帯域幅領域とに少なくとも部分的に基づく、
Ｃ１８に記載の装置。
［Ｃ２２］
前記狭帯域幅領域が前記広帯域幅キャリアの前記中心サブキャリアを除外すると決定するための手段と、
前記狭帯域幅領域のサブキャリア上でダウンリンク送信を受信するための手段と、
前記狭帯域幅領域が前記広帯域幅キャリアの前記中心サブキャリアを除外するという決定に少なくとも部分的に基づいて、前記ダウンリンク送信を分析するための手段と
をさらに備える、Ｃ１６に記載の装置。
［Ｃ２３］
前記ダウンリンク送信を分析するための前記手段は、
前記広帯域幅キャリアの周波数と、前記狭帯域幅領域の帯域幅と、構成可能な値とに少なくとも部分的に基づいて、前記広帯域幅キャリアの前記中心サブキャリアが前記狭帯域幅領域に隣接するように、前記狭帯域幅領域をダウンコンバートするための手段
を備える、Ｃ２２に記載の装置。
［Ｃ２４］
前記広帯域幅キャリアの前記中心サブキャリアのロケーションに少なくとも部分的に基づいてＦＦＴ演算を調整するための手段
をさらに備える、Ｃ２３に記載の装置。
［Ｃ２５］
前記広帯域幅キャリアの中心帯域幅領域上でシステム情報を受信するための手段と、
基地局から前記狭帯域幅領域の指示を受信するための手段と、ここにおいて、前記狭帯域幅領域を識別するための前記手段が、受信された指示に少なくとも部分的に基づいて動作可能である、
をさらに備え、
前記狭帯域幅領域が前記広帯域幅キャリアの前記中心サブキャリアとは前記異なる周波数に中心があると決定するための手段が、受信されたシステム情報と、識別された狭帯域幅領域とに少なくとも部分的に基づく、
Ｃ２２に記載の装置。
［Ｃ２６］
基地局におけるワイヤレス通信のための装置であって、
広帯域幅キャリア内での動作のために割り振られた狭帯域幅領域を識別するための手段と、
前記狭帯域幅領域が前記広帯域幅キャリアの中心サブキャリアとは異なる周波数に中心があると決定するための手段と、
前記狭帯域幅領域の中心周波数のトーンの周りの前記狭帯域幅領域のサブキャリアをレートマッチングすることによって、前記狭帯域幅領域中でユーザ機器（ＵＥ）と通信するための手段と
を備える、装置。
［Ｃ２７］
前記狭帯域幅領域の前記中心周波数において空のサブキャリアを送信するための手段をさらに備える、Ｃ２６に記載の装置。
［Ｃ２８］
前記広帯域幅キャリアの中心帯域幅領域上でシステム情報を送信するための手段
をさらに備える、Ｃ２６に記載の装置。
［Ｃ２９］
前記ＵＥに前記狭帯域幅領域の指示を送信するための手段
をさらに備える、Ｃ２６に記載の装置。
［Ｃ３０］
前記狭帯域幅領域中で前記ＵＥと通信するための前記手段が、
前記狭帯域幅領域のサブキャリア上でダウンリンクデータを送信すること
を備える、Ｃ２６に記載の装置。
【外国語明細書】
2020115650000001.pdf